(57)【要約】【課題】機械タイプ通信を支援する無線接続システムにおける好適なチャネル状態情報送信方法及び装置を提供すること。【解決手段】本発明はＭＴＣ端末がチャネル状態情報（ＣＳＩ）を測定する方法及びＣＳＩを送信する方法及びこれを支援する装置を提案する。本発明の一実施例として、機械タイプ通信（ＭＴＣ）を支援する無線接続システムにおいてＭＴＣ端末がチャネル状態情報（ＣＳＩ）をフィードバックする方法は、ＭＴＣ端末に対して割り当てられる制限されたＭＴＣ帯域幅に対する割当て情報を受信する段階と、ＣＳＩを計算する段階と、ＣＳＩをフィードバックする段階とを含むことができる。この際、ＣＳＩは制限されたＭＴＣ帯域幅に対するＭＴＣワイドバンドチャネル状態情報（ＭＴＣ  Ｗ−ＣＱＩ）を含むことができる。【選択図】  図１７
2018026865.tif 000002
【特許請求の範囲】
【請求項１】
機械タイプ通信（ＭＴＣ）を支援する無線接続システムにおいてＭＴＣ端末（ＵＥ）で非周期的チャネル状態情報（ＣＳＩ）報告を行う方法であって、前記方法は、
ｅＮＢ（ｅｎｈａｎｃｅｄ  Ｎｏｄｅ  Ｂ）から、前記ＭＴＣ  ＵＥに対するＣＳＩ報告モードを構成する上位層信号を受信することと、
前記ＣＳＩ報告モードに基づいて前記ＭＴＣ  ＵＥに対して割り当てられる制限された帯域幅に対して前記ＣＳＩを計算することと、
前記ｅＮＢから、非周期的ＣＳＩ報告をトリガーするＣＳＩ要請フィールドを含む上りリンクグラントを受信することと、
ＰＵＳＣＨ（ｐｈｙｓｉｃａｌ  ｕｐｌｉｎｋ  ｓｈａｒｅｄ  ｃｈａｎｎｅｌ）を介して前記ｅＮＢに前記非周期的ＣＳＩ報告を送信することと
を含み、
前記ＣＳＩは、前記ＣＳＩ報告モードが、ＵＥ選択サブバンドＣＱＩフィードバックを表すモード２−０として構成されている場合に、前記制限された帯域幅に対するワイドバンドチャネル状態情報（Ｗ−ＣＱＩ）値のみを含み、
前記制限された帯域幅の大きさは、６リソースブロックである、方法。
【請求項２】
前記ＣＳＩは、前記ＣＳＩ報告モードがモード２−０として構成されていたとしても、前記ＮＢにより管理される１つ以上のサブバンドに関連付けられているＵＥ選択サブバンド状態情報を含まず、
前記ＵＥ選択サブバンド状態情報は、サブバンドの位置を示すラベル情報および差分ＣＱＩを示す情報を含む、請求項１に記載の方法。
【請求項３】
前記ワイドバンドＣＱＩ値は、ランク１の条件で計算される、請求項１に記載の方法。
【請求項４】
前記制限された帯域幅は、ＰＤＣＣＨ（ｐｈｙｓｉｃａｌ  ｄｏｗｎｌｉｎｋ  ｃｏｎｔｒｏｌ  ｃｈａｎｎｅｌ）またはＥＰＤＣＣＨ（ｅｎｈａｎｃｅｄ  ｐｈｙｓｉｃａｌ  ｄｏｗｎｌｉｎｋ  ｃｏｎｔｒｏｌ  ｃｈａｎｎｅｌ）を介してサブフレーム毎に動的に割り当てられる、請求項１に記載の方法。
【請求項５】
機械タイプ通信（ＭＴＣ）を支援する無線接続システムにおいて非周期的チャネル状態情報（ＣＳＩ）報告を行うためのＭＴＣ端末（ＵＥ）であって、前記ＭＴＣ  ＵＥは、
送信機と、
受信機と、
前記非周期的ＣＳＩ報告を支援するプロセッサと
を備え、
前記プロセッサは、
前記受信機を制御して、ｅＮＢ（ｅｎｈａｎｃｅｄ  Ｎｏｄｅ  Ｂ）から、前記ＭＴＣ  ＵＥに対するＣＳＩ報告モードを構成する上位層信号を受信することと、
前記ＣＳＩ報告モードに基づいて前記ＭＴＣ  ＵＥに対して割り当てられる制限された帯域幅に対して前記ＣＳＩを計算することと、
前記受信機を制御して、前記ｅＮＢから、非周期的ＣＳＩ報告をトリガーするＣＳＩ要請フィールドを含む上りリンクグラントを受信することと、
前記送信機を制御して、ＰＵＳＣＨ（ｐｈｙｓｉｃａｌ  ｕｐｌｉｎｋ  ｓｈａｒｅｄ  ｃｈａｎｎｅｌ）を介して前記ｅＮＢに前記非周期的ＣＳＩ報告を送信することと
を行うように構成され、
前記ＣＳＩは、前記ＣＳＩ報告モードが、ＵＥ選択サブバンドＣＱＩフィードバックを表すモード２−０として構成されている場合に、前記制限された帯域幅に対するワイドバンドチャネル状態情報（Ｗ−ＣＱＩ）値のみを含み、
前記制限された帯域幅の大きさは、６リソースブロックである、ＭＴＣ  ＵＥ。
【請求項６】
前記ＣＳＩは、前記ＣＳＩ報告モードがモード２−０として構成されていたとしても、前記ｅＮＢにより管理される１つ以上のサブバンドに関連付けられているＵＥ選択サブバンド状態情報を含まず、
前記ＵＥ選択サブバンド状態情報は、サブバンドの位置を示すラベル情報および差分ＣＱＩを示す情報を含む、請求項５に記載のＭＴＣ  ＵＥ。
【請求項７】
前記ワイドバンドＣＱＩ値は、ランク１の条件で計算される、請求項５に記載のＭＴＣ  ＵＥ。
【請求項８】
前記制限された帯域幅は、ＰＤＣＣＨ（ｐｈｙｓｉｃａｌ  ｄｏｗｎｌｉｎｋ  ｃｏｎｔｒｏｌ  ｃｈａｎｎｅｌ）またはＥＰＤＣＣＨ（ｅｎｈａｎｃｅｄ  ｐｈｙｓｉｃａｌ  ｄｏｗｎｌｉｎｋ  ｃｏｎｔｒｏｌ  ｃｈａｎｎｅｌ）を介してサブフレーム毎に動的に割り当てられる、請求項５に記載のＭＴＣ  ＵＥ。
【請求項９】
機械タイプ通信（ＭＴＣ）を支援する無線接続システムにおいて非周期的チャネル状態情報（ＣＳＩ）報告を受信する方法であって、前記方法は、ｅｖｏｌｖｅｄ  Ｎｏｄｅ−Ｂにより実行され、前記方法は、
ＣＳＩ報告モードを構成する上位層信号をＭＴＣ端末（ＭＴＣ  ＵＥ）に送信することと、
非周期的ＣＳＩ報告をトリガーするＣＳＩ要請フィールドを含む上りリンクグラントを前記ＭＴＣ  ＵＥに送信することと、
ＰＵＳＣＨ（ｐｈｙｓｉｃａｌ  ｕｐｌｉｎｋ  ｓｈａｒｅｄ  ｃｈａｎｎｅｌ）を介して前記ＭＴＣ  ＵＥから前記非周期的ＣＳＩ報告を受信することと
を含み、
前記非周期的ＣＳＩ報告は、前記ＣＳＩ報告モードに基づいて前記ＭＴＣ  ＵＥに対して割り当てられる制限された帯域幅に対して計算されたＣＳＩを含み、
前記ＣＳＩは、前記ＣＳＩ報告モードが、ＵＥ選択サブバンドＣＱＩフィードバックを表すモード２−０として構成されている場合に、前記制限された帯域幅に対するワイドバンドチャネル状態情報（Ｗ−ＣＱＩ）値のみを含み、
前記制限された帯域幅の大きさは、６リソースブロックである、方法。
【請求項１０】
前記ＣＳＩは、前記ＣＳＩ報告モードがモード２−０として構成されていたとしても、前記ｅＮＢにより管理される１つ以上のサブバンドに関連付けられているＵＥ選択サブバンド状態情報を含まず、
前記ＵＥ選択サブバンド状態情報は、サブバンドの位置を示すラベル情報および差分ＣＱＩを示す情報を含む、請求項９に記載の方法。
【請求項１１】
前記ワイドバンドＣＱＩ値は、ランク１の条件で計算される、請求項９に記載の方法。
【請求項１２】
前記制限された帯域幅は、ＰＤＣＣＨ（ｐｈｙｓｉｃａｌ  ｄｏｗｎｌｉｎｋ  ｃｏｎｔｒｏｌ  ｃｈａｎｎｅｌ）またはＥＰＤＣＣＨ（ｅｎｈａｎｃｅｄ  ｐｈｙｓｉｃａｌ  ｄｏｗｎｌｉｎｋ  ｃｏｎｔｒｏｌ  ｃｈａｎｎｅｌ）を介してサブフレーム毎に動的に割り当てられる、請求項９に記載の方法。
【請求項１３】
機械タイプ通信（ＭＴＣ）を支援する無線接続システムにおいて非周期的チャネル状態情報（ＣＳＩ）報告を受信するためのｅＮＢ（ｅｖｏｌｖｅｄ  Ｎｏｄｅ−Ｂ）であって、前記ｅＮＢは、
送信機と、
受信機と、
前記非周期的ＣＳＩ報告の受信を支援するプロセッサと
を備え、
前記プロセッサは、
前記送信機を制御することにより、ＣＳＩ報告モードを構成する上位層信号をＭＴＣ端末（ＭＴＣ  ＵＥ）に送信することと、
前記送信機を制御することにより、非周期的ＣＳＩ報告をトリガーするＣＳＩ要請フィールドを含む上りリンクグラントを前記ＭＴＣ  ＵＥに送信することと、
前記受信機を制御することにより、ＰＵＳＣＨ（ｐｈｙｓｉｃａｌ  ｕｐｌｉｎｋ  ｓｈａｒｅｄ  ｃｈａｎｎｅｌ）を介して前記ＭＴＣ  ＵＥから前記非周期的ＣＳＩ報告を受信することと
を行うように構成され、
前記非周期的ＣＳＩ報告は、前記ＣＳＩ報告モードに基づいて前記ＭＴＣ  ＵＥに対して割り当てられる制限された帯域幅に対して計算されたＣＳＩを含み、
前記ＣＳＩは、前記ＣＳＩ報告モードが、ＵＥ選択サブバンドＣＱＩフィードバックを表すモード２−０として構成されている場合に、前記制限された帯域幅に対するワイドバンドチャネル状態情報（Ｗ−ＣＱＩ）値のみを含み、
前記制限された帯域幅の大きさは、６リソースブロックである、ｅＮＢ。
【請求項１４】
前記ＣＳＩは、前記ＣＳＩ報告モードがモード２−０として構成されていたとしても、前記ｅＮＢにより管理される１つ以上のサブバンドに関連付けられているＵＥ選択サブバンド状態情報を含まず、
前記ＵＥ選択サブバンド状態情報は、サブバンドの位置を示すラベル情報および差分ＣＱＩを示す情報を含む、請求項１３に記載のｅＮＢ。
【請求項１５】
前記ワイドバンドＣＱＩ値は、ランク１の条件で計算される、請求項１３に記載のｅＮＢ。
【請求項１６】
前記制限された帯域幅は、ＰＤＣＣＨ（ｐｈｙｓｉｃａｌ  ｄｏｗｎｌｉｎｋ  ｃｏｎｔｒｏｌ  ｃｈａｎｎｅｌ）またはＥＰＤＣＣＨ（ｅｎｈａｎｃｅｄ  ｐｈｙｓｉｃａｌ  ｄｏｗｎｌｉｎｋ  ｃｏｎｔｒｏｌ  ｃｈａｎｎｅｌ）を介してサブフレーム毎に動的に割り当てられる、請求項１３に記載のｅＮＢ。
【発明の詳細な説明】
【技術分野】
【０００１】
本発明は機械タイプ通信（ＭＴＣ：Ｍａｃｈｉｎｅ  Ｔｙｐｅ  Ｃｏｍｍｕｎｉｃａｔｉｏｎ）を支援する無線接続システムに係り、特にＭＴＣ端末がチャネル状態情報（ＣＳＩ：Ｃｈａｎｎｅｌ  Ｓｔａｔｕｓ  Ｉｎｆｏｒｍａｔｉｏｎ）を測定する方法及びＣＳＩを送信する方法及びこれを支援する装置に関するものである。
【背景技術】
【０００２】
無線接続システムが音声やデータなどの種々の通信サービスを提供するために広範囲に展開されている。一般に、無線接続システムは、可用のシステムリソース（帯域幅、送信電力など）を共有して多重ユーザとの通信を支援できる多元接続（ｍｕｌｔｉｐｌｅ  ａｃｃｅｓｓ）システムである。多元接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明の目的は、低費用ＭＴＣ端末が効率的にＣＳＩを測定する方法及びＣＳＩを報告する方法を提供することである。
【０００４】
本発明の他の目的は、低費用ＭＴＣ端末がＣＳＩを周期的又は非周期的に報告する方法を提供することである。
【０００５】
本発明のさらに他の目的は、低費用ＭＴＣ端末に対するＭＴＣ帯域幅を、既存レガシー帯域幅とは違い、制限された領域に対してのみ新たに定義することにより、ＭＴＣ端末が効率的にＣＳＩを測定及び報告する方法を提供することである。
【０００６】
本発明のさらに他の目的は、このような方法を支援する装置を提供することである。
【０００７】
本発明で達成しようとする技術的目的は、以上で言及した事項に制限されず、言及していない他の技術的課題は、以下に説明する本発明の実施例から、本発明の属する技術の分野における通常の知識を有する者にとって考慮されてもよい。
【課題を解決するための手段】
【０００８】
本発明はＭＴＣ端末がチャネル状態情報（ＣＳＩ）を測定する方法及びＣＳＩを送信する方法及びこれを支援する装置を提案する。
【０００９】
本発明の一様態として、機械タイプ通信（ＭＴＣ）を支援する無線接続システムにおいてＭＴＣ端末がチャネル状態情報（ＣＳＩ）をフィードバックする方法は、ＭＴＣ端末に対して割り当てられる制限されたＭＴＣ帯域幅に対する割当て情報を受信する段階と、ＣＳＩを計算する段階と、ＣＳＩをフィードバックする段階とを含むことができる。この際、ＣＳＩは制限されたＭＴＣ帯域幅に対するＭＴＣワイドバンドチャネル状態情報（ＭＴＣ  Ｗ−ＣＱＩ：Ｍａｃｈｉｎｅ  Ｔｙｐｅ  Ｃｏｍｍｕｎｉｃａｔｉｏｎ  Ｗｉｄｅｂａｎｄ  Ｃｈａｎｎｅｌ  Ｑｕａｌｉｔｙ  Ｉｎｆｏｒｍａｔｉｏｎ）を含むことができる。
【００１０】
本発明の他の様態として、機械タイプ通信（ＭＴＣ）を支援する無線接続システムにおいてチャネル状態情報（ＣＳＩ）をフィードバックするためのＭＴＣ端末は、送信機、受信機及び前記送信機及び受信機を制御してＣＳＩフィードバックを支援するためのプロセッサを含むことができる。この際、プロセッサは、ＭＴＣ端末に対して割り当てられる制限されたＭＴＣ帯域幅に対する割当て情報を受信機を制御して受信し、ＣＳＩを計算し、送信機を制御してＣＳＩをフィードバックするように構成されることができる。この際、ＣＳＩは、レガシーシステムで支援する帯域幅に対するレガシーＷ−ＣＱＩ及び制限されたＭＴＣ帯域幅に対するＭＴＣワイドバンドチャネル状態情報（ＭＴＣ  Ｗ−ＣＱＩ）を含むことができる。
【００１１】
前記制限されたＭＴＣ帯域幅に対する割当て情報はシステム情報ブロック（ＳＩＢ）メッセージを介して半静的に伝送されるかあるいは物理下りリンク制御チャネル（ＰＤＣＣＨ）又は向上した物理下りリンク制御チャネル（ＥＰＤＣＣＨ）を介して毎サブフレームで動的に送信されることができる。
【００１２】
前記ＣＳＩをフィードバックする段階は、基地局の要求がある場合、非周期的に遂行され、制限されたＭＴＣ帯域幅の大きさは７リソースブロック（ＲＢ）以下に設定されることができる。
【００１３】
あるいは、前記ＣＳＩをフィードバックする段階は周期的に遂行され、制限されたＭＴＣ帯域幅の大きさは７リソースブロック（ＲＢ）以下に設定されることができる。
【００１４】
上述した本発明の様態は、本発明の好適な実施例の一部に過ぎず、本願発明の技術的特徴が反映された様々な実施例が、当該技術分野における通常の知識を有する者にとって、以下に詳述する本発明の詳細な説明に基づいて導出され、理解されるであろう。
例えば、本願発明は以下の項目を提供する。
（項目１）
機械タイプ通信（ＭＴＣ）を支援する無線接続システムにおいてＭＴＣ端末がチャネル状態情報（ＣＳＩ）をフィードバックする方法であって、
前記ＭＴＣ端末に対して割り当てられる制限されたＭＴＣ帯域幅に対する割当て情報を受信する段階；
前記ＣＳＩを計算する段階；及び
前記ＣＳＩをフィードバックする段階を含み、
前記ＣＳＩは前記制限されたＭＴＣ帯域幅に対するＭＴＣワイドバンドチャネル状態情報（ＭＴＣ  Ｗ−ＣＱＩ）を含む、ＣＳＩフィードバック方法。
（項目２）
前記制限されたＭＴＣ帯域幅に対する割当て情報は、システム情報ブロック（ＳＩＢ）メッセージを介して半静的に送信される、項目１に記載のＣＳＩフィードバック方法。
（項目３）
前記制限されたＭＴＣ帯域幅に対する割当て情報は物理下りリンク制御チャネル（ＰＤＣＣＨ）又は向上した物理下りリンク制御チャネル（ＥＰＤＣＣＨ）を介して毎サブフレームで動的に送信される、項目１に記載のＣＳＩフィードバック方法。
（項目４）
前記ＣＳＩをフィードバックする段階は基地局の要求がある場合に非周期的に遂行され、前記制限されたＭＴＣ帯域幅の大きさは７リソースブロック（ＲＢ）以下に設定される、項目１に記載のＣＳＩフィードバック方法。
（項目５）
前記ＣＳＩをフィードバックする段階は周期的に遂行され、前記制限されたＭＴＣ帯域幅の大きさは７リソースブロック（ＲＢ）以下に設定される、項目１に記載のＣＳＩフィードバック方法。
（項目６）
機械タイプ通信（ＭＴＣ）を支援する無線接続システムにおいてチャネル状態情報（ＣＳＩ）をフィードバックするためのＭＴＣ端末であって、
送信機；
受信機；及び
前記送信機及び前記受信機を制御して前記ＣＳＩフィードバックを支援するためのプロセッサを含み、
前記プロセッサは：
前記ＭＴＣ端末に対して割り当てられる制限されたＭＴＣ帯域幅に対する割当て情報を前記受信機を制御して受信し；
前記ＣＳＩを計算し；及び
前記送信機を制御して前記ＣＳＩをフィードバックするように構成され、
前記ＣＳＩは前記制限されたＭＴＣ帯域幅に対するＭＴＣワイドバンドチャネル状態情報（ＭＴＣ  Ｗ−ＣＱＩ）を含む、ＭＴＣ端末。
（項目７）
前記制限されたＭＴＣ帯域幅に対する割当て情報は、システム情報ブロック（ＳＩＢ）メッセージを介して半静的に送信される、項目６に記載のＭＴＣ端末。
（項目８）
前記制限されたＭＴＣ帯域幅に対する割当て情報は、物理下りリンク制御チャネル（ＰＤＣＣＨ）又は向上した物理下りリンク制御チャネル（ＥＰＤＣＣＨ）を介して毎サブフレームで動的に送信される、項目６に記載のＭＴＣ端末。
（項目９）
前記プロセッサは、基地局の要求がある場合、非周期的に前記ＣＳＩをフィードバックし、
前記制限されたＭＴＣ帯域幅の大きさは７リソースブロック（ＲＢ）以下に設定される、項目６に記載のＭＴＣ端末。
（項目１０）
前記プロセッサは周期的に前記ＣＳＩをフィードバックし、
前記制限されたＭＴＣ帯域幅の大きさは７リソースブロック（ＲＢ）以下に設定される、項目６に記載のＭＴＣ端末。
【発明の効果】
【００１５】
本発明の実施例によれば、次のような効果が得られる。
【００１６】
一つ目、低費用ＭＴＣ端末に対するＭＴＣ帯域幅を、既存レガシー帯域幅とは違い、制限された領域に対してのみ新たに定義することにより、ＭＴＣ端末が効率的にＣＳＩを測定及び報告することができる。
【００１７】
二つ目、低費用ＭＴＣ端末がＣＳＩを周期的又は非周期的に報告する場合、レガシー方法に比べて報告するＣＳＩの情報量が減少することができる。
【００１８】
本発明の実施例から得られる効果は、以上で言及した効果に制限されず、言及していない他の効果は、以下の本発明の実施例に関する記載から、本発明の属する技術の分野における通常の知識を有する者にとって明確に導出され理解されるであろう。すなわち、本発明を実施するに上で意図していない効果も、本発明の実施例から、当該技術の分野における通常の知識を有する者によって導出可能である。
【図面の簡単な説明】
【００１９】
本発明に関する理解を助けるために詳細な説明の一部として含まれる添付の図面は、本発明に関する様々な実施例を提供する。また、添付の図面は、詳細な説明と共に本発明の実施の形態を説明するために用いられる。
【図１】物理チャネル及びこれらを用いた信号送信方法を説明するための図である。
【図２】無線フレームの構造の一例を示す図である。
【図３】下りリンクスロットに対するリソースグリッド（ｒｅｓｏｕｒｃｅ  ｇｒｉｄ）を例示する図である。
【図４】上りリンクサブフレームの構造の一例を示す図である。
【図５】下りリンクサブフレームの構造の一例を示す図である。
【図６】図６は、一般サイクリックプレフィックス（Ｃｙｃｌｉｃ  Ｐｒｅｆｉｘ：ＣＰ）の場合におけるＰＵＣＣＨフォーマット１ａ及び１ｂを示し、図７は、拡張ＣＰの場合におけるＰＵＣＣＨフォーマット１ａ及び１ｂを示す。
【図７】図６は、一般サイクリックプレフィックス（Ｃｙｃｌｉｃ  Ｐｒｅｆｉｘ：ＣＰ）の場合におけるＰＵＣＣＨフォーマット１ａ及び１ｂを示し、図７は、拡張ＣＰの場合におけるＰＵＣＣＨフォーマット１ａ及び１ｂを示す。
【図８】図８は、一般ＣＰの場合におけるＰＵＣＣＨフォーマット２／２ａ／２ｂを示し、図９は、拡張ＣＰの場合におけるＰＵＣＣＨフォーマット２／２ａ／２ｂを示す。
【図９】図８は、一般ＣＰの場合におけるＰＵＣＣＨフォーマット２／２ａ／２ｂを示し、図９は、拡張ＣＰの場合におけるＰＵＣＣＨフォーマット２／２ａ／２ｂを示す。
【図１０】ＰＵＣＣＨフォーマット１ａ及び１ｂに対するＡＣＫ／ＮＡＣＫチャネル化（ｃｈａｎｎｅｌｉｚａｔｉｏｎ）を説明する図である。
【図１１】同じＰＲＢ内でＰＵＣＣＨフォーマット１ａ／１ｂとフォーマット２／２ａ／２ｂとが混合された構造に対するチャネル化を示す図である。
【図１２】ＰＲＢ割り当てを示す図である。
【図１３】コンポーネントキャリア（ＣＣ）及びＬＴＥ＿Ａシステムで用いられるキャリア併合の一例を示す図である。
【図１４】クロスキャリアスケジューリングによるＬＴＥ−Ａシステムのサブフレーム構造を示す図である。
【図１５】クロスキャリアスケジューリングによるサービングセル構成の一例を示す図である。
【図１６】ＣＡ  ＰＵＣＣＨの信号処理過程を例示する図である。
【図１７】４．３節で説明した方法を実施する過程を示す図である。
【図１８】４．４節で説明した方法を実施する過程を示す図である。
【図１９】ここで説明する装置は図１〜図１８で説明した方法を具現することができる手段である。
【発明を実施するための形態】
【００２０】
以下に詳細に説明する本発明の実施例は、機械タイプ通信（ＭＴＣ）を支援する無線接続システムにおいて低費用ＭＴＣ端末がチャネル状態情報（ＣＳＩ）を測定する方法及びＣＳＩを送信する方法及びこれを支援する装置を開示する。
【００２１】
以下の実施例は、本発明の構成要素と特徴を所定の形態で結合したものである。各構成要素又は特徴は、別の明示的な言及がない限り、選択的なものとして考慮することができる。各構成要素又は特徴は、他の構成要素や特徴と結合しない形態で実施することができる。また、一部の構成要素及び／又は特徴を結合して本発明の実施例を構成することもできる。本発明の実施例で説明する動作の順序は変更してもよい。ある実施例の一部の構成や特徴は他の実施例に含まれてもよく、又は他の実施例の対応する構成又は特徴に取り替えられてもよい。
【００２２】
図面に関する説明において、本発明の要旨を曖昧にさせうる手順又は段階などは記述を省略し、当業者のレベルで理解できるような手順又は段階も記述を省略した。
【００２３】
明細書全体を通じて、ある部分がある構成要素を“含む（又は備える又は有する）”としたとき、これは、特別に言及しない限り、他の構成要素を除外する意味ではなく、他の構成要素をさらに含んでもよいということを意味する。また、明細書に記載された”…部”、“…機”、“モジュール”などの用語は、少なくとも一つの機能や動作を処理する単位を意味し、これは、ハードウェア、ソフトウェア、又はハードウェア及びソフトウェアの結合によって具現することができる。また、“ある（ａ又はａｎ）”、“一つ（ｏｎｅ）”、“その（ｔｈｅ）”及び類似関連語は、本発明を記述する文脈において（特に、以下の請求項の文脈において）、本明細書に特別に指示されたり文脈によって明らかに反駁されない限り、単数及び複数の両意味で使うことができる。
【００２４】
本明細書で、本発明の実施例は、基地局と移動局間のデータ送受信関係を中心に説明した。ここで、基地局は移動局と直接通信を行うネットワークの終端ノード（ｔｅｒｍｉｎａｌ  ｎｏｄｅ）としての意味を有する。本文書で基地局によって行われるとした特定動作は、場合によっては、基地局の上位ノード（ｕｐｐｅｒ  ｎｏｄｅ）によって行われてもよい。
【００２５】
すなわち、基地局を含む複数のネットワークノード（ｎｅｔｗｏｒｋ  ｎｏｄｅ）からなるネットワークで移動局との通信のために行われる様々な動作は、基地局又は基地局以外の他のネットワークノードによって行われてもよい。ここで、「基地局」は、固定局（ｆｉｘｅｄ  ｓｔａｔｉｏｎ）、Ｎｏｄｅ  Ｂ、ｅＮｏｄｅ  Ｂ（ｅＮＢ）、発展した基地局（ＡＢＳ：Ａｄｖａｎｃｅｄ  Ｂａｓｅ  Ｓｔａｔｉｏｎ）又はアクセスポイント（ａｃｃｅｓｓ  ｐｏｉｎｔ）などの用語に代えてもよい。
【００２６】
また、本発明の実施例でいう「端末（Ｔｅｒｍｉｎａｌ）」は、ユーザ機器（ＵＥ：Ｕｓｅｒ  Ｅｑｕｉｐｍｅｎｔ）、移動局（ＭＳ：Ｍｏｂｉｌｅ  Ｓｔａｔｉｏｎ）、加入者端末（ＳＳ：Ｓｕｂｓｃｒｉｂｅｒ  Ｓｔａｔｉｏｎ）、移動加入者端末（ＭＳＳ：Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、又は発展した移動端末（ＡＭＳ：Ａｄｖａｎｃｅｄ  Ｍｏｂｉｌｅ  Ｓｔａｔｉｏｎ）などの用語に代えてもよい。
【００２７】
また、送信端は、データサービス又は音声サービスを提供する固定及び／又は移動ノードを意味し、受信端は、データサービス又は音声サービスを受信する固定及び／又は移動ノードを意味する。そのため、上りリンクでは、移動局を送信端とし、基地局を受信端とすることができる。同様に、下りリンクでは、移動局を受信端とし、基地局を送信端とすることができる。
【００２８】
本発明の実施例は、無線接続システムであるＩＥＥＥ  ８０２．ｘｘシステム、３ＧＰＰ（３ｒｄ  Ｇｅｎｅｒａｔｉｏｎ  Ｐａｒｔｎｅｒｓｈｉｐ  Ｐｒｏｊｅｃｔ）システム、３ＧＰＰ  ＬＴＥシステム及び３ＧＰＰ２システムのうち少なくとも一つに開示された標準文書によって裏付けることができ、特に、本発明の実施例は、３ＧＰＰ  ＴＳ  ３６．２１１、３ＧＰＰ  ＴＳ  ３６．２１２、３ＧＰＰ  ＴＳ  ３６．２１３、及び３ＧＰＰ  ＴＳ  ３６．３２１の文書によって裏付けることができる。すなわち、本発明の実施例において説明していない自明な段階又は部分は、上記の文書を参照して説明することができる。また、本文書で開示している用語はいずれも上記の標準文書によって説明することができる。
【００２９】
以下、本発明に係る好適な実施の形態を、添付の図面を参照して詳しく説明する。添付の図面と共に以下に開示される詳細な説明は、本発明の例示的な実施の形態を説明するためのもので、本発明が実施されうる唯一の実施の形態を示すためのものではない。
【００３０】
また、本発明の実施例で使われる特定用語は、本発明の理解を助けるために提供されたもので、このような特定用語の使用は、本発明の技術的思想を逸脱しない範囲で他の形態に変更してもよい。
【００３１】
以下では、本発明の実施例を適用し得る無線接続システムの一例として３ＧＰＰ  ＬＴＥ／ＬＴＥ−Ａシステムについて説明する。
【００３２】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに適用することができる。
【００３３】
ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術によって具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって具現することができる。
【００３４】
ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ  ＬＴＥ（Ｌｏｎｇ  Ｔｅｒｍ  Ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であって、下りリンクでＯＦＤＭＡを採用し、上りリンクでＳＣ−ＦＤＭＡを採用する。ＬＴＥ−Ａ（Ａｄｖａｎｃｅｄ）システムは、３ＧＰＰ  ＬＴＥシステムの改良されたシステムである。本発明の技術的特徴に関する説明を明確にするために、本発明の実施例を３ＧＰＰ  ＬＴＥ／ＬＴＥ−Ａシステムを中心に説明するが、ＩＥＥＥ  ８０２．１６ｅ／ｍシステムなどに適用してもよい。
【００３５】
１．  ３ＧＰＰ  ＬＴＥ／ＬＴＥ＿Ａシステム
無線接続システムにおいて、端末は下りリンク（ＤＬ：Ｄｏｗｎｌｉｎｋ）を介して基地局から情報を受信し、上りリンク（ＵＬ：Ｕｐｌｉｎｋ）を介して基地局に情報を送信する。基地局と端末が送受信する情報は、一般データ情報及び様々な制御情報を含み、これらが送受信する情報の種類／用途によって様々な物理チャネルが存在する。
【００３６】
１．１  システム一般
図１は、本発明の実施例で使用できる物理チャネル及びこれらを用いた信号送信方法を説明するための図である。
【００３７】
電源が消えた状態で電源がついたり、新しくセルに進入したりした端末は、Ｓ１１段階で基地局と同期を取るなどの初期セル探索（Ｉｎｉｔｉａｌ  ｃｅｌｌ  ｓｅａｒｃｈ）作業を行う。そのために、端末は基地局から１次同期チャネル（Ｐ−ＳＣＨ：Ｐｒｉｍａｒｙ  Ｓｙｎｃｈｒｏｎｉｚａｔｉｏｎ  Ｃｈａｎｎｅｌ）及び２次同期チャネル（Ｓ−ＳＣＨ：Ｓｅｃｏｎｄａｒｙ  Ｓｙｎｃｈｒｏｎｉｚａｔｉｏｎ  Ｃｈａｎｎｅｌ）を受信して基地局と同期を取り、セルＩＤなどの情報を取得する。
【００３８】
その後、端末は基地局から物理放送チャネル（ＰＢＣＨ：Ｐｈｙｓｉｃａｌ  Ｂｒｏａｄｃａｓｔ  Ｃｈａｎｎｅｌ）信号を受信してセル内放送情報を取得することができる。
【００３９】
一方、端末は初期セル探索段階で下りリンク参照信号（ＤＬ  ＲＳ：Ｄｏｗｎｌｉｎｋ  Ｒｅｆｅｒｅｎｃｅ  Ｓｉｇｎａｌ）を受信して下りリンクチャネル状態を確認することができる。
【００４０】
初期セル探索を終えた端末は、Ｓ１２段階で、物理下り制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、及び物理下り制御チャネル情報に基づく物理下り共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）を受信し、より具体的なシステム情報を取得することができる。
【００４１】
その後、端末は、基地局に接続を完了するために、段階Ｓ１３乃至段階Ｓ１６のようなランダムアクセス過程（Ｒａｎｄｏｍ  Ａｃｃｅｓｓ  Ｐｒｏｃｅｄｕｒｅ）を行うことができる。そのために、端末は物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）を用いてプリアンブル（ｐｒｅａｍｂｌｅ）を送信し（Ｓ１３）、物理下り制御チャネル及びこれに対応する物理下り共有チャネルを用いてプリアンブルに対する応答メッセージを受信することができる（Ｓ１４）。競合ベースのランダムアクセスでは、端末は、さらなる物理ランダムアクセスチャネル信号の送信（Ｓ１５）、及び物理下り制御チャネル信号及びこれに対応する物理下り共有チャネル信号の受信（Ｓ１６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００４２】
上述したような手順を行った端末は、その後、一般的な上り／下り信号送信手順として、物理下り制御チャネル信号及び／又は物理下り共有チャネル信号の受信（Ｓ１７）及び物理上り共有チャネル（ＰＵＳＣＨ：Ｐｈｙｓｉｃａｌ  Ｕｐｌｉｎｋ  Ｓｈａｒｅｄ  Ｃｈａｎｎｅｌ）信号及び／又は物理上り制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）信号の送信（Ｓ１８）を行うことができる。
【００４３】
端末が基地局に送信する制御情報を総称して、上り制御情報（ＵＣＩ：Ｕｐｌｉｎｋ  Ｃｏｎｔｒｏｌ  Ｉｎｆｏｒｍａｔｉｏｎ）という。ＵＣＩは、ＨＡＲＱ−ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＱＩ（Ｃｈａｎｎｅｌ  Ｑｕａｌｉｔｙ  Ｉｎｄｉｃａｔｉｏｎ）、ＰＭＩ（Ｐｒｅｃｏｄｉｎｇ  Ｍａｔｒｉｘ  Ｉｎｄｉｃａｔｉｏｎ）、ＲＩ（Ｒａｎｋ  Ｉｎｄｉｃａｔｉｏｎ）情報などを含む。
【００４４】
ＬＴＥシステムにおいて、ＵＣＩは、一般的にＰＵＣＣＨを介して周期的に送信するが、制御情報とトラフィックデータが同時に送信されるべき場合にはＰＵＳＣＨを介して送信してもよい。また、ネットワークの要請／指示に応じてＰＵＳＣＨを介してＵＣＩを非周期的に送信してもよい。
【００４５】
図２には、本発明の実施例で用いられる無線フレームの構造を示す。
【００４６】
図２（ａ）は、タイプ１フレーム構造（ｆｒａｍｅ  ｓｔｒｕｃｔｕｒｅ  ｔｙｐｅ  １）を示す。タイプ１フレーム構造は、全二重（ｆｕｌｌ  ｄｕｐｌｅｘ）ＦＤＤ（Ｆｒｅｑｕｅｎｃｙ  Ｄｉｖｉｓｉｏｎ  Ｄｕｐｌｅｘ）システムと半二重（ｈａｌｆ  ｄｕｐｌｅｘ）ＦＤＤシステムの両方に適用することができる。
【００４７】
１無線フレーム（ｒａｄｉｏ  ｆｒａｍｅ）は、
【００４８】
【化１】
2018026865.tif 000003
【００４９】
の長さを有し、
【００５０】
【化２】
2018026865.tif 000004
【００５１】
の均等な長さを有し、０から１９までのインデックスが与えられた２０個のスロットで構成される。１サブフレームは、２個の連続したスロットと定義され、ｉ番目のサブフレームは、２ｉ及び２ｉ＋１に該当するスロットで構成される。すなわち、無線フレーム（ｒａｄｉｏ  ｆｒａｍｅ）は、１０個のサブフレーム（ｓｕｂｆｒａｍｅ）で構成される。１サブフレームを送信するために掛かる時間をＴＴＩ（ｔｒａｎｓｍｉｓｓｉｏｎ  ｔｉｍｅ  ｉｎｔｅｒｖａｌ）という。ここで、Ｔｓはサンプリング時間を表し、Ｔｓ＝１／（１５ｋＨｚ×２０４８）＝３．２５５２×１０−８（約３３ｎｓ）と表示される。スロットは、時間領域で複数のＯＦＤＭシンボル又はＳＣ−ＦＤＭＡシンボルを含み、周波数領域で複数のリソースブロック（Ｒｅｓｏｕｒｃｅ  Ｂｌｏｃｋ）を含む。
【００５２】
１スロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む。３ＧＰＰ  ＬＴＥは、下りリンクでＯＦＤＭＡを使用するので、ＯＦＤＭシンボルは１シンボル区間（ｓｙｍｂｏｌ  ｐｅｒｉｏｄ）を表現するためのものである。ＯＦＤＭシンボルは、１つのＳＣ−ＦＤＭＡシンボル又はシンボル区間ということができる。リソースブロック（ｒｅｓｏｕｒｃｅ  ｂｌｏｃｋ）は、リソース割り当て単位であって、１スロットで複数の連続した副搬送波（ｓｕｂｃａｒｒｉｅｒ）を含む。
【００５３】
全二重ＦＤＤシステムでは、各１０ｍｓ区間で１０個のサブフレームを下り送信と上り送信のために同時に利用することができる。このとき、上り送信と下り送信は周波数領域で区別される。一方、半二重ＦＤＤシステムでは、端末は送信と受信を同時に行うことができない。
【００５４】
上述した無線フレームの構造は一つの例示に過ぎず、無線フレームに含まれるサブフレームの数、サブフレームに含まれるスロットの数、又はスロットに含まれるＯＦＤＭシンボルの数は様々に変更されてもよい。
【００５５】
図２（ｂ）には、タイプ２フレーム構造（ｆｒａｍｅ  ｓｔｒｕｃｔｕｒｅ  ｔｙｐｅ  ２）を示す。タイプ２フレーム構造はＴＤＤシステムに適用される。１無線フレームは、
【００５６】
【化３】
2018026865.tif 000005
【００５７】
の長さを有し、
【００５８】
【化４】
2018026865.tif 000006
【００５９】
長さを有する２個のハーフフレーム（ｈａｌｆ−ｆｒａｍｅ）で構成される。各ハーフフレームは、
【００６０】
【化５】
2018026865.tif 000007
【００６１】
の長さを有する５個のサブフレームで構成される。ｉ番目のサブフレームは、２ｉ及び２ｉ＋１に該当する各
【００６２】
【化６】
2018026865.tif 000008
【００６３】
の長さを有する２個のスロットで構成される。ここで、Ｔｓは、サンプリング時間を表し、Ｔｓ＝１／（１５ｋＨｚ×２０４８）＝３．２５５２×１０−８（約３３ｎｓ）で表示される。
【００６４】
タイプ２フレームは、ＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）の３つのフィールドで構成される特別サブフレームを含む。ここで、ＤｗＰＴＳは、端末での初期セル探索、同期化又はチャネル推定に用いられる。ＵｐＰＴＳは、基地局でのチャネル推定と端末の上り送信同期を合わせるために用いられる。保護区間は、上りリンクと下りリンクの間に下りリンク信号の多重経路遅延によって上りリンクで生じる干渉を除去するための区間である。
【００６５】
下記の表１に、特別フレームの構成（ＤｗＰＴＳ／ＧＰ／ＵｐＰＴＳの長さ）を示す。
【００６６】
【表１】
2018026865.tif 000009
【００６７】
図３は、本発明の実施例で使用できる下りリンクスロットのリソースグリッド（ｒｅｓｏｕｒｃｅ  ｇｒｉｄ）を例示する図である。
【００６８】
図３を参照すると、１つの下りリンクスロットは、時間領域で複数のＯＦＤＭシンボルを含む。ここで、１つの下りリンクスロットは、７個のＯＦＤＭシンボルを含み、１つのリソースブロックは周波数領域で１２個の副搬送波を含むとするが、これに限定されるものではない。
【００６９】
リソースグリッド上で各要素（ｅｌｅｍｅｎｔ）をリソース要素（ｒｅｓｏｕｒｃｅ  ｅｌｅｍｅｎｔ）とし、１つのリソースブロックは１２×７個のリソース要素を含む。下りリンクスロットに含まれるリソースブロックの数ＮＤＬは、下りリンク送信帯域幅（ｂａｎｄｗｉｄｔｈ）に依存する。上りリンクスロットの構造は、下りリンクスロットの構造と同一であってもよい。
【００７０】
図４は、本発明の実施例で使用できる上りリンクサブフレームの構造を示す。
【００７１】
図４を参照すると、上りリンクサブフレームは、周波数領域で制御領域とデータ領域とに区別される。制御領域には、上り制御情報を運ぶＰＵＣＣＨが割り当てられる。データ領域には、ユーザデータを運ぶＰＵＳＣＨが割り当てられる。単一搬送波特性を維持するために、一つの端末はＰＵＣＣＨとＰＵＳＣＨを同時に送信しない。一つの端末に対するＰＵＣＣＨにはサブフレーム内にＲＢ対が割り当てられる。ＲＢ対に属するＲＢは、２個のスロットのそれぞれで異なる副搬送波を占める。これを、ＰＵＣＣＨに割り当てられたＲＢ対はスロット境界（ｓｌｏｔ  ｂｏｕｎｄａｒｙ）で周波数跳躍（ｆｒｅｑｕｅｎｃｙ  ｈｏｐｐｉｎｇ）するという。
【００７２】
図５には、本発明の実施例で使用できる下りサブフレームの構造を示す。
【００７３】
図５を参照すると、サブフレームにおける第一のスロットでＯＦＤＭシンボルインデックス０から最大３個のＯＦＤＭシンボルが、制御チャネルが割り当てられる制御領域（ｃｏｎｔｒｏｌ  ｒｅｇｉｏｎ）であり、残りのＯＦＤＭシンボルが、ＰＤＳＣＨが割り当てられるデータ領域（ｄａｔａ  ｒｅｇｉｏｎ）である。３ＧＰＰ  ＬＴＥで用いられる下りリンク制御チャネルの例には、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００７４】
ＰＣＦＩＣＨは、サブフレームにおける最初のＯＦＤＭシンボルで送信され、サブフレーム内に制御チャネルの送信のために使われるＯＦＤＭシンボルの数（すなわち、制御領域のサイズ）に関する情報を運ぶ。ＰＨＩＣＨは、上りリンクに対する応答チャネルであって、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｅｇａｔｉｖｅ−Ａｃｋｎｏｗｌｅｄｇｅｍｅｎｔ）信号を運ぶ。ＰＤＣＣＨを介して送信される制御情報を下り制御情報（ＤＣＩ：ｄｏｗｎｌｉｎｋ  ｃｏｎｔｒｏｌ  ｉｎｆｏｒｍａｔｉｏｎ）という。下り制御情報は、上りリソース割当て情報、下りリソース割当て情報、又は任意の端末グループに対する上り送信（Ｔｘ）電力制御命令を含む。
【００７５】
１．２  ＰＤＣＣＨ（Ｐｈｙｓｉｃａｌ  Ｄｏｗｎｌｉｎｋ  Ｃｏｎｔｒｏｌ  Ｃｈａｎｎｅｌ）
１．２．１  ＰＤＣＣＨ一般
ＰＤＣＣＨは、ＤＬ−ＳＣＨ（Ｄｏｗｎｌｉｎｋ  Ｓｈａｒｅｄ  Ｃｈａｎｎｅｌ）のリソース割り当て及び送信フォーマット（すなわち、下りリンクグラント（ＤＬ−Ｇｒａｎｔ））、ＵＬ−ＳＣＨ（Ｕｐｌｉｎｋ  Ｓｈａｒｅｄ  Ｃｈａｎｎｅｌ）のリソース割当て情報（すなわち、上りリンクグラント（ＵＬ−Ｇｒａｎｔ））、ＰＣＨ（Ｐａｇｉｎｇ  Ｃｈａｎｎｅｌ）におけるページング（ｐａｇｉｎｇ）情報、ＤＬ−ＳＣＨにおけるシステム情報、ＰＤＳＣＨで送信されるランダムアクセス応答（ｒａｎｄｏｍ  ａｃｃｅｓｓ  ｒｅｓｐｏｎｓｅ）のような上位レイヤ（ｕｐｐｅｒ−ｌａｙｅｒ）制御メッセージに対するリソース割り当て、任意の端末グループ内の個別端末に対する送信電力制御命令の集合、ＶｏＩＰ（Ｖｏｉｃｅ  ｏｖｅｒ  ＩＰ）活性化の有無に関する情報などを運ぶことができる。
【００７６】
複数のＰＤＣＣＨを制御領域内で送信することができ、端末は複数のＰＤＣＣＨをモニタすることができる。ＰＤＣＣＨは、１つ又は複数の連続したＣＣＥ（ｃｏｎｔｒｏｌ  ｃｈａｎｎｅｌ  ｅｌｅｍｅｎｔｓ）の集合（ａｇｇｒｅｇａｔｉｏｎ）で構成される。１つ又は複数の連続したＣＣＥの集合で構成されたＰＤＣＣＨは、サブブロックインターリービング（ｓｕｂｂｌｏｃｋ  ｉｎｔｅｒｌｅａｖｉｎｇ）を経た後、制御領域を通して送信することができる。ＣＣＥは、無線チャネルの状態による符号化率をＰＤＣＣＨに提供するために使われる論理的割り当て単位である。ＣＣＥは、複数のリソース要素グループ（ＲＥＧ：ｒｅｓｏｕｒｃｅ  ｅｌｅｍｅｎｔ  ｇｒｏｕｐ）に対応する。ＣＣＥの数とＣＣＥによって提供される符号化率の関係によってＰＤＣＣＨのフォーマット及び可能なＰＤＣＣＨのビット数が決定される。
【００７７】
１．２．２  ＰＤＣＣＨ構造
複数の端末に対する多重化された複数のＰＤＣＣＨが制御領域内で送信されてもよい。ＰＤＣＣＨは１つ又は２つ以上の連続したＣＣＥの集合（ＣＣＥ  ａｇｇｒｅｇａｔｉｏｎ）で構成される。ＣＣＥは、４個のリソース要素で構成されたＲＥＧの９個のセットに対応する単位のことを指す。各ＲＥＧには４個のＱＰＳＫ（Ｑｕａｄｒａｔｕｒｅ  Ｐｈａｓｅ  Ｓｈｉｆｔ  Ｋｅｙｉｎｇ）シンボルがマップされる。参照信号（ＲＳ：Ｒｅｆｅｒｅｎｃｅ  Ｓｉｇｎａｌ）によって占有されたリソース要素はＲＥＧに含まれない。すなわち、ＯＦＤＭシンボル内でＲＥＧの総個数は、セル特定参照信号が存在するか否かによって異なってくることがある。４個のリソース要素を１つのグループにマップするＲＥＧの概念は、他の下り制御チャネル（例えば、ＰＣＦＩＣＨ又はＰＨＩＣＨ）にも適用することができる。ＰＣＦＩＣＨ又はＰＨＩＣＨに割り当てられないＲＥＧを
【００７８】
【化７】
2018026865.tif 000010
【００７９】
とすれば、システムで利用可能なＣＣＥの個数は
【００８０】
【化８】
2018026865.tif 000011
【００８１】
であり、各ＣＣＥは０から
【００８２】
【化９】
2018026865.tif 000012
【００８３】
までのインデックスを有する。
【００８４】
端末のデコーティングプロセスを単純化するために、ｎ個のＣＣＥを含むＰＤＣＣＨフォーマットは、ｎの倍数と同じインデックスを有するＣＣＥから始まってもよい。すなわち、ＣＣＥインデックスがｉである場合、
【００８５】
【化１０】
2018026865.tif 000013
【００８６】
を満たすＣＣＥから始まってもよい。
【００８７】
基地局は１つのＰＤＣＣＨ信号を構成するために｛１，２，４，８｝個のＣＣＥを使用することができ、ここで、｛１，２，４，８｝をＣＣＥ集合レベル（ａｇｇｒｅｇａｔｉｏｎ  ｌｅｖｅｌ）と呼ぶ。特定ＰＤＣＣＨの送信のために使われるＣＣＥの個数はチャネル状態によって基地局で決定される。例えば、良子な下りチャネル状態（基地局に近接している場合）を有する端末のためのＰＤＣＣＨは、１つのＣＣＥだけで十分でありうる。一方、よくないチャネル状態（セル境界にある場合）を有する端末の場合は、８個のＣＣＥが十分な堅牢さ（ｒｏｂｕｓｔｎｅｓｓ）のために要求されることがある。しかも、ＰＤＣＣＨの電力レベルも、チャネル状態にマッチングして調節されてもよい。
【００８８】
下記の表２にＰＤＣＣＨフォーマットを示す。ＣＣＥ集合レベルによって表２のように４つのＰＤＣＣＨフォーマットが支援される。
【００８９】
【表２】
2018026865.tif 000014
【００９０】
端末ごとにＣＣＥ集合レベルが異なる理由は、ＰＤＣＣＨに乗せられる制御情報のフォーマット又はＭＣＳ（Ｍｏｄｕｌａｔｉｏｎ  ａｎｄ  Ｃｏｄｉｎｇ  Ｓｃｈｅｍｅ）レベルが異なるためである。ＭＣＳレベルは、データコーディングに用いられるコードレート（ｃｏｄｅ  ｒａｔｅ）と変調序列（ｍｏｄｕｌａｔｉｏｎ  ｏｒｄｅｒ）を意味する。適応的なＭＣＳレベルはリンク適応（ｌｉｎｋ  ａｄａｐｔａｔｉｏｎ）のために用いられる。一般に、制御情報を送信する制御チャネルでは３〜４個程度のＭＣＳレベルを考慮することができる。
【００９１】
制御情報のフォーマットを説明すると、ＰＤＣＣＨを介して送信される制御情報を下り制御情報（ＤＣＩ）という。ＤＣＩフォーマットによってＰＤＣＣＨペイロード（ｐａｙｌｏａｄ）に乗せられる情報の構成が異なることがある。ＰＤＣＣＨペイロードは、情報ビット（ｉｎｆｏｒｍａｔｉｏｎ  ｂｉｔ）を意味する。下記の表３は、ＤＣＩフォーマットによるＤＣＩを示すものである。
【００９２】
【表３】
2018026865.tif 000015
【００９３】
表３を参照すると、ＤＣＩフォーマットには、ＰＵＳＣＨスケジューリングのためのフォーマット０、１つのＰＤＳＣＨコードワードのスケジューリングのためのフォーマット１、１つのＰＤＳＣＨコードワードの簡単な（ｃｏｍｐａｃｔ）スケジューリングのためのフォーマット１Ａ、ＤＬ−ＳＣＨの非常に簡単なスケジューリングのためのフォーマット１Ｃ、閉ループ（Ｃｌｏｓｅｄ−ｌｏｏｐ）空間多重化（ｓｐａｔｉａｌ  ｍｕｌｔｉｐｌｅｘｉｎｇ）モードでＰＤＳＣＨスケジューリングのためのフォーマット２、開ループ（Ｏｐｅｎ−ｌｏｏｐ）空間多重化モードでＰＤＳＣＨスケジューリングのためのフォーマット２Ａ、上りリンクチャネルのためのＴＰＣ（Ｔｒａｎｓｍｉｓｓｉｏｎ  Ｐｏｗｅｒ  Ｃｏｎｔｒｏｌ）命令の送信のためのフォーマット３及び３Ａがある。ＤＣＩフォーマット１Ａは、端末にいずれの送信モードが設定されてもＰＤＳＣＨスケジューリングのために用いることができる。
【００９４】
ＤＣＩフォーマットによってＰＤＣＣＨペイロード長が変わることがある。また、ＰＤＣＣＨペイロードの種類とそれによる長さは、簡単な（ｃｏｍｐａｃｔ）スケジューリングであるか否か、又は端末に設定された送信モード（ｔｒａｎｓｍｉｓｓｉｏｎ  ｍｏｄｅ）などによって異なってもよい。
【００９５】
送信モードは、端末がＰＤＳＣＨを介した下りリンクデータを受信するように設定（ｃｏｎｆｉｇｕｒａｔｉｏｎ）することができる。例えば、ＰＤＳＣＨを介した下りリンクデータには、端末にスケジュールされたデータ（ｓｃｈｅｄｕｌｅｄ  ｄａｔａ）、ページング、ランダムアクセス応答、又はＢＣＣＨを介したブロードキャスト情報などがある。ＰＤＳＣＨを介した下りリンクデータは、ＰＤＣＣＨを介してシグナルされるＤＣＩフォーマットと関係がある。送信モードは、上位層シグナリング（例えば、ＲＲＣ（Ｒａｄｉｏ  Ｒｅｓｏｕｒｃｅ  Ｃｏｎｔｒｏｌ）シグナリング）によって端末に半静的に（ｓｅｍｉ−ｓｔａｔｉｃａｌｌｙ）設定することができる。送信モードは、シングルアンテナ送信（Ｓｉｎｇｌｅ  ａｎｔｅｎｎａ  ｔｒａｎｓｍｉｓｓｉｏｎ）又はマルチアンテナ（Ｍｕｌｔｉ−ａｎｔｅｎｎａ）送信と区別できる。
【００９６】
端末は、上位層シグナリングによって半静的（ｓｅｍｉ−ｓｔａｔｉｃ）に送信モードが設定される。例えば、マルチアンテナ送信には、送信ダイバーシティ（Ｔｒａｎｓｍｉｔ  ｄｉｖｅｒｓｉｔｙ）、開ループ（Ｏｐｅｎ−ｌｏｏｐ）又は閉ループ（Ｃｌｏｓｅｄ−ｌｏｏｐ）空間多重化（Ｓｐａｔｉａｌ  ｍｕｌｔｉｐｌｅｘｉｎｇ）、ＭＵ−ＭＩＭＯ（Ｍｕｌｔｉ−ｕｓｅｒ−Ｍｕｌｔｉｐｌｅ  Ｉｎｐｕｔ  Ｍｕｌｔｉｐｌｅ  Ｏｕｔｐｕｔ）、及びビーム形成（Ｂｅａｍｆｏｒｍｉｎｇ）などがある。送信ダイバーシティは、多重送信アンテナで同一のデータを送信して送信信頼度を高める技術である。空間多重化は、多重送信アンテナで互いに異なるデータを同時に送信し、システムの帯域幅を増加させることなく高速のデータを送信できる技術である。ビーム形成は、多重アンテナでチャネル状態による加重値を与えて信号のＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）を増加させる技術である。
【００９７】
ＤＣＩフォーマットは、端末に設定された送信モードに依存する。端末は、自身に設定された送信モードによってモニタする参照（Ｒｅｆｅｒｅｎｃｅ）ＤＣＩフォーマットがある。次の通り、端末に設定される送信モードは１０個の送信モードを有することができる。
【００９８】
（１）送信モード１：単一アンテナポート；ポート０
（２）送信モード２：送信ダイバーシチ（Ｔｒａｎｓｍｉｔ  Ｄｉｖｅｒｓｉｔｙ）
（３）送信モード３：開ループ空間多重化（Ｏｐｅｎ−ｌｏｏｐ  Ｓｐａｔｉａｌ  Ｍｕｌｔｉｐｌｅｘｉｎｇ）
（４）送信モード４：閉ループ空間多重化（Ｃｌｏｓｅｄ−ｌｏｏｐ  Ｓｐａｔｉａｌ
Ｍｕｌｔｉｐｌｅｘｉｎｇ）
（５）送信モード５：多重ユーザＭＩＭＯ
（６）送信モード６：閉ループランク＝１プリコーディング
（７）送信モード７：コードブックに基づかない、単一レイヤ送信を支援するプリコーディング
（８）送信モード８：コードブックに基づかない、２個までのレイヤを支援するプリコーディング
（９）送信モード９：コードブックに基づかない、８個までのレイヤを支援するプリコーディング
（１０）送信モード１０：コードブックに基づかない、ＣｏＭＰのために用いられる、８個までのレイヤを支援するプリコーディング
１．２．３  ＰＤＣＣＨ送信
基地局は、端末に送信しようとするＤＣＩによってＰＤＣＣＨフォーマットを決定し、制御情報にＣＲＣ（Ｃｙｃｌｉｃ  Ｒｅｄｕｎｄａｎｃｙ  Ｃｈｅｃｋ）を付加する。ＣＲＣにはＰＤＣＣＨの所有者（ｏｗｎｅｒ）や用途によって固有の識別子（例えば、ＲＮＴＩ（Ｒａｄｉｏ  Ｎｅｔｗｏｒｋ  Ｔｅｍｐｏｒａｒｙ  Ｉｄｅｎｔｉｆｉｅｒ））をマスクする。特定の端末のためのＰＤＣＣＨであれば、端末固有の識別子（例えば、Ｃ−ＲＮＴＩ（Ｃｅｌｌ−ＲＮＴＩ））をＣＲＣにマスクすることができる。又は、ページングメッセージのためのＰＤＣＣＨであれば、ページング指示識別子（例えば、Ｐ−ＲＮＴＩ（Ｐａｇｉｎｇ−ＲＮＴＩ））をＣＲＣにマスクすることができる。システム情報、より具体的にシステム情報ブロック（ｓｙｓｔｅｍ  ｉｎｆｏｒｍａｔｉｏｎ  ｂｌｏｃｋ、ＳＩＢ）のためのＰＤＣＣＨであれば、システム情報識別子（例えば、ＳＩ−ＲＮＴＩ（ｓｙｓｔｅｍ  ｉｎｆｏｒｍａｔｉｏｎ  ＲＮＴＩ））をＣＲＣにマスクすることができる。端末のランダムアクセスプリアンブルの送信に対する応答であるランダムアクセス応答を示すために、ＲＡ−ＲＮＴＩ（ｒａｎｄｏｍ  ａｃｃｅｓｓ−ＲＮＴＩ）をＣＲＣにマスクすることができる。
【００９９】
続いて、基地局は、ＣＲＣの付加された制御情報にチャネルコーディングを行って符号化されたデータ（ｃｏｄｅｄ  ｄａｔａ）を生成する。このとき、ＭＣＳレベルによるコードレートにチャネルコーディングを行うことができる。基地局は、ＰＤＣＣＨフォーマットに割り当てられたＣＣＥ集合レベルによる伝送率マッチング（ｒａｔｅ  ｍａｔｃｈｉｎｇ）を行い、符号化されたデータを変調して変調シンボルを生成する。この時、ＭＣＳレベルによる変調序列を用いることができる。１つのＰＤＣＣＨを構成する変調シンボルは、ＣＣＥ集合レベルが１、２、４、８のいずれか一つであってもよい。その後、基地局は、変調シンボルを物理的なリソース要素にマップ（ＣＣＥ  ｔｏ  ＲＥ  ｍａｐｐｉｎｇ）する。
【０１００】
１．２．４  ブラインドデコーディング（ＢＳ：Ｂｌｉｎｄ  Ｄｅｃｏｄｉｎｇ）
一つのサブフレーム内で複数のＰＤＣＣＨが送信されてもよい。すなわち、一つのサブフレームの制御領域は、インデックス
【０１０１】
【化１１】
2018026865.tif 000016
【０１０２】
を有する複数のＣＣＥで構成される。ここで、
【０１０３】
【化１２】
2018026865.tif 000017
【０１０４】
は、ｋ番目のサブフレームの制御領域内における総ＣＣＥの個数を意味する。端末は、毎サブフレームごとに複数のＰＤＣＣＨをモニタリングする。ここで、モニタリングとは、端末がモニタリングされるＰＤＣＣＨフォーマットによってＰＤＣＣＨのそれぞれのデコーディングを試みることをいう。
【０１０５】
基地局は端末にサブフレーム内に割り当てられた制御領域で該当のＰＤＣＣＨがどこに位置するかに関する情報を提供しない。端末は基地局から送信された制御チャネルを受信するために自身のＰＤＣＣＨがどの位置でどのＣＣＥ集合レベルやＤＣＩフォーマットで送信されるかを把握できず、端末は、サブフレーム内でＰＤＣＣＨ候補（ｃａｎｄｉｄａｔｅ）の集合をモニタリングして自身のＰＤＣＣＨを探す。これをブラインドデコーディング（ＢＤ）という。ブラインドデコーディングとは、端末がＣＲＣ部分に自身の端末識別子（ＵＥ  ＩＤ）をデマスキング（Ｄｅ−Ｍａｓｋｉｎｇ）した後、ＣＲＣ誤りを検討し、当該ＰＤＣＣＨが自身の制御チャネルであるか否かを確認する方法をいう。
【０１０６】
活性モード（ａｃｔｉｖｅ  ｍｏｄｅ）で端末は自身に送信されるデータを受信するために毎サブフレームのＰＤＣＣＨをモニタリングする。ＤＲＸモードで端末は毎ＤＲＸ周期のモニタリング区間で起床（ｗａｋｅ  ｕｐ）し、モニタリング区間に該当するサブフレームでＰＤＣＣＨをモニタリングする。ＰＤＣＣＨのモニタリングが行われるサブフレームをｎｏｎ−ＤＲＸサブフレームという。
【０１０７】
端末は、自身に送信されるＰＤＣＣＨを受信するためには、ｎｏｎ−ＤＲＸサブフレームの制御領域に存在する全てのＣＣＥに対してブラインドデコーディングを行わなければならない。端末は、いずれのＰＤＣＣＨフォーマットが送信されるか把握できないことから、毎ｎｏｎ−ＤＲＸサブフレーム内でＰＤＣＣＨのブラインドデコーディングに成功するまで、可能なＣＣＥ集団レベルでＰＤＣＣＨを全てデコーディングしなければならない。端末は、自身のためのＰＤＣＣＨがいくつのＣＣＥを用いるのか把握できず、ＰＤＣＣＨのブラインドデコーディングに成功するまで、可能な全てのＣＣＥ集団レベルで検出を試みなければならない。
【０１０８】
ＬＴＥシステムでは端末のブラインドデコーディングのためにサーチスペース（ＳＳ：Ｓｅａｒｃｈ  Ｓｐａｃｅ）概念を定義する。サーチスペースは、端末がモニタリングするためのＰＤＣＣＨ候補セットを意味し、各ＰＤＣＣＨフォーマットによって異なるサイズを有することができる。サーチスペースは、共用サーチスペース（ＣＳＳ：Ｃｏｍｍｏｎ  Ｓｅａｒｃｈ  Ｓｐａｃｅ）及び端末特定サーチスペース（ＵＳＳ：ＵＥ−ｓｐｅｃｉｆｉｃ／Ｄｅｄｉｃａｔｅｄ  Ｓｅａｒｃｈ  Ｓｐａｃｅ）を含むことができる。
【０１０９】
共用サーチスペースの場合、全ての端末が共用サーチスペースのサイズを認知できるが、端末特定サーチスペースは、各端末ごとに個別に設定することができる。したがって、端末は、ＰＤＣＣＨをデコーディングするために、端末特定サーチスペース及び共用サーチスペースを全てモニタリングしなければならなくて、したがって、１サブフレームで最大４４回のブラインドデコーディング（ＢＤ）を行うことになる。ここには、異なるＣＲＣ値（例えば、Ｃ−ＲＮＴＩ、Ｐ−ＲＮＴＩ、ＳＩ−ＲＮＴＩ、ＲＡ−ＲＮＴＩ）によって行うブラインドデコーディングは含まれない。
【０１１０】
サーチスペースの制約によって、与えられたサブフレーム内で基地局がＰＤＣＣＨを送信しようとする端末の全てにＰＤＣＣＨを送信するためのＣＣＥリソースが確保されない場合が発生しうる。なぜなら、ＣＣＥ位置が割り当てられて残ったリソースは、特定端末のサーチスペース内に含まれないことがある。次のサブフレームでも続き得るこのような障壁を最小化するために、端末特定跳躍（ｈｏｐｐｉｎｇ）シーケンスを端末特定サーチスペースの始点に適用することができる。
【０１１１】
表４は、共用サーチスペースと端末特定サーチスペースのサイズを示す。
【０１１２】
【表４】
2018026865.tif 000018
【０１１３】
ブラインドデコーディングを試みる回数による端末の負荷を軽減するために、端末は、定義された全てのＤＣＩフォーマットによるサーチを同時に行うわけではない。具体的に、端末は、端末特定サーチスペースで常にＤＣＩフォーマット０及び１Ａに対するサーチを行う。この時、ＤＣＩフォーマット０と１Ａは同じサイズを有するが、端末は、ＰＤＣＣＨに含まれたＤＣＩフォーマット０と１Ａを区別するために用いられるフラグ（ｆｌａｇ  ｆｏｒ  ｆｏｒｍａｔ０／ｆｏｒｍａｔ１Ａ  ｄｉｆｆｅｒｅｎｔｉａｔｉｏｎ）を用いてＤＣＩフォーマットを区別することができる。また、端末にＤＣＩフォーマット０とＤＣＩフォーマット１Ａに加えて他のＤＣＩフォーマットが要求されてもよいが、その一例としてＤＣＩフォーマット１、１Ｂ、２がある。
【０１１４】
共用サーチスペースで端末はＤＣＩフォーマット１Ａと１Ｃをサーチすることができる。また、端末はＤＣＩフォーマット３又は３Ａをサーチするように設定されてもよく、ＤＣＩフォーマット３と３Ａは、ＤＣＩフォーマット０と１Ａと同じサイズを有するが、端末は、端末特定識別子以外の識別子によってスクランブルされたＣＲＣを用いてＤＣＩフォーマットを区別することができる。
【０１１５】
サーチスペース
【０１１６】
【化１３】
2018026865.tif 000019
【０１１７】
は、集合レベル
【０１１８】
【化１４】
2018026865.tif 000020
【０１１９】
によるＰＤＣＣＨ候補セットを意味する。サーチスペースのＰＤＣＣＨ候補セット
【０１２０】
【化１５】
2018026865.tif 000021
【０１２１】
によるＣＣＥは、次式１によって決定することができる。
【０１２２】
【数１】
2018026865.tif 000022
【０１２３】
ここで、
【０１２４】
【化１６】
2018026865.tif 000023
【０１２５】
は、サーチスペースでモニターするためのＣＣＥ集合レベルＬによるＰＤＣＣＨ候補の個数を表し、
【０１２６】
【化１７】
2018026865.tif 000024
【０１２７】
である。
【０１２８】
【化１８】
2018026865.tif 000025
【０１２９】
は、ＰＤＣＣＨにおいて各ＰＤＣＣＨ候補で個別ＣＣＥを指定するインデックスであり、
【０１３０】
【化１９】
2018026865.tif 000026
【０１３１】
である。
【０１３２】
【化２０】
2018026865.tif 000027
【０１３３】
は、無線フレーム内でスロットインデックスを表す。
【０１３４】
上述したように、端末は、ＰＤＣＣＨをデコーディングするために端末特定サーチスペース及び共用サーチスペースの両方をモニタリングする。ここで、共用サーチスペース（ＣＳＳ）は、｛４，８｝の集合レベルを有するＰＤＣＣＨを支援し、端末特定サーチスペース（ＵＳＳ）は、｛１，２，４，８｝の集合レベルを有するＰＤＣＣＨを支援する。表５は、端末によってモニタリングされるＰＤＣＣＨ候補を表す。
【０１３５】
【表５】
2018026865.tif 000028
【０１３６】
式１を参照すると、共用サーチスペースの場合、２個の集合レベル、Ｌ＝４及びＬ＝８に対して
【０１３７】
【化２１】
2018026865.tif 000029
【０１３８】
は０に設定される。一方、端末特定サーチスペースの場合、集合レベルＬに対して
【０１３９】
【化２２】
2018026865.tif 000030
【０１４０】
は式２のように定義される。
【０１４１】
【数２】
2018026865.tif 000031
【０１４２】
ここで、
【０１４３】
【化２３】
2018026865.tif 000032
【０１４４】
であり、
【０１４５】
【化２４】
2018026865.tif 000033
【０１４６】
はＲＮＴＩ値を表す。また、
【０１４７】
【化２５】
2018026865.tif 000034
【０１４８】
であり、
【０１４９】
【化２６】
2018026865.tif 000035
【０１５０】
である。
【０１５１】
１．３ＰＵＣＣＨ（Ｐｈｙｓｉｃａｌ  Ｕｐｌｉｎｋ  Ｃｏｎｔｒｏｌ  Ｃｈａｎｎｅｌ）
ＰＵＣＣＨは、上りリンク制御情報を送信するために次のフォーマットを含む。
【０１５２】
（１）フォーマット１：オン−オフキーイング（ＯＯＫ：Ｏｎ−Ｏｆｆ  ｋｅｙｉｎｇ）変調、スケジューリング要請（ＳＲ：Ｓｃｈｅｄｕｌｉｎｇ  Ｒｅｑｕｅｓｔ）に用いる
（２）フォーマット１ａとフォーマット１ｂ：ＡＣＫ／ＮＡＣＫ送信に用いる
１）フォーマット１ａ：１個のコードワードに対するＢＰＳＫ  ＡＣＫ／ＮＡＣＫ
２）フォーマット１ｂ：２個のコードワードに対するＱＰＳＫ  ＡＣＫ／ＮＡＣＫ
（３）フォーマット２：ＱＰＳＫ変調、ＣＱＩ送信に用いる
（４）フォーマット２ａとフォーマット２ｂ：ＣＱＩ及びＡＣＫ／ＮＡＣＫの同時送信に用いる
（５）フォーマット３：ＣＡ環境で複数のＡＣＫ／ＮＡＣＫ送信のために用いる
表６には、ＰＵＣＣＨフォーマットによる変調方式とサブフレーム当たりビット数を示す。表７には、ＰＵＣＣＨフォーマットによるスロット当たり参照信号の個数を示す。表８には、ＰＵＣＣＨフォーマットによる参照信号のＳＣ−ＦＤＭＡシンボル位置を示す。表６で、ＰＵＣＣＨフォーマット２ａと２ｂは一般ＣＰ（Ｃｙｃｌｉｃ  Ｐｒｅｆｉｘ）の場合に該当する。
【０１５３】
【表６】
2018026865.tif 000036
【０１５４】
【表７】
2018026865.tif 000037
【０１５５】
【表８】
2018026865.tif 000038
【０１５６】
図６は、一般ＣＰの場合におけるＰＵＣＣＨフォーマット１ａ及び１ｂを示し、図７は、拡張ＣＰの場合におけるＰＵＣＣＨフォーマット１ａ及び１ｂを示す図である。
【０１５７】
ＰＵＣＣＨフォーマット１ａ及び１ｂは、同じ内容の制御情報がサブフレーム内でスロット単位に反復される。各端末でＡＣＫ／ＮＡＣＫ信号は、ＣＧ−ＣＡＺＡＣ（Ｃｏｍｐｕｔｅｒ−Ｇｅｎｅｒａｔｅｄ  Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスの異なる循環シフト（ＣＳ：ｃｙｃｌｉｃ  ｓｈｉｆｔ）（周波数ドメインコード）と直交カバーコード（ＯＣ／ＯＣＣ：ｏｒｔｈｏｇｏｎａｌ  ｃｏｖｅｒ／ｏｒｔｈｏｇｏｎａｌ  ｃｏｖｅｒ  ｃｏｄｅ）（時間ドメイン拡散コード）とで構成された異なるリソースで送信される。ＯＣは、例えば、ウォルシュ（Ｗａｌｓｈ）／ＤＦＴ直交コードを含む。ＣＳの個数が６個、ＯＣの個数が３個なら、単一アンテナを基準に、総１８個の端末を１つのＰＲＢ（Ｐｈｙｓｉｃａｌ  Ｒｅｓｏｕｒｃｅ  Ｂｌｏｃｋ）内で多重化できる。直交シーケンスｗ０、ｗ１、ｗ２、ｗ３は、（ＦＦＴ変調後に）任意の時間ドメインで、又は（ＦＦＴ変調前に）任意の周波数ドメインで適用することができる。
【０１５８】
ＳＲと持続的スケジューリング（ｐｅｒｓｉｓｔｅｎｔ  ｓｃｈｅｄｕｌｉｎｇ）のために、ＣＳ、ＯＣ及びＰＲＢ（Ｐｈｙｓｉｃａｌ  Ｒｅｓｏｕｒｃｅ  Ｂｌｏｃｋ）で構成されたＡＣＫ／ＮＡＣＫリソースを、ＲＲＣ（Ｒａｄｉｏ  Ｒｅｓｏｕｒｃｅ  Ｃｏｎｔｒｏｌ）を用いて端末に与えることができる。動的ＡＣＫ／ＮＡＣＫと非持続的スケジューリング（ｎｏｎ−ｐｅｒｓｉｓｔｅｎｔ  ｓｃｈｅｄｕｌｉｎｇ）のために、ＡＣＫ／ＮＡＣＫリソースは、ＰＤＳＣＨに対応するＰＤＣＣＨの最も小さい（ｌｏｗｅｓｔ）ＣＣＥインデックスによって暗黙的に（ｉｍｐｌｉｃｉｔｌｙ）端末に与えられてもよい。
【０１５９】
表９には、ＰＵＣＣＨフォーマット１／１ａ／１ｂのための長さ４の直交シーケンス（ＯＣ）を示す。表１０には、ＰＵＣＣＨフォーマット１／１ａ／１ｂのための長さ３の直交シーケンス（ＯＣ）を示す。
【０１６０】
【表９】
2018026865.tif 000039
【０１６１】
【表１０】
2018026865.tif 000040
【０１６２】
表１１には、ＰＵＣＣＨフォーマット１ａ／１ｂでＲＳのための直交シーケンス（ＯＣ）
【０１６３】
【化２７】
2018026865.tif 000041
【０１６４】
を示す。
【０１６５】
【表１１】
2018026865.tif 000042
【０１６６】
図８は、一般ＣＰの場合におけるＰＵＣＣＨフォーマット２／２ａ／２ｂを示し、図９は、拡張ＣＰの場合におけるＰＵＣＣＨフォーマット２／２ａ／２ｂを示す。
【０１６７】
図８及び図９を参照すると、一般ＣＰの場合に、１つのサブフレームは、ＲＳシンボルの他、１０個のＱＰＳＫデータシンボルで構成される。それぞれのＱＰＳＫシンボルはＣＳによって周波数ドメインで拡散された後、該当のＳＣ−ＦＤＭＡシンボルにマップされる。ＳＣ−ＦＤＭＡシンボルレベルＣＳホッピングは、インターセル干渉をランダム化するために適用することができる。ＲＳは、循環シフトを用いてＣＤＭによって多重化することができる。例えば、可用のＣＳの個数を１２又は６と仮定すれば、同一ＰＲＢ内にそれぞれ１２又は６個の端末を多重化することができる。要するに、ＰＵＣＣＨフォーマット１／１ａ／１ｂと２／２ａ／２ｂにおいて複数の端末をＣＳ＋ＯＣ＋ＰＲＢとＣＳ＋ＰＲＢによってそれぞれ多重化することができる。
【０１６８】
図１０は、ＰＵＣＣＨフォーマット１ａ及び１ｂに対するＡＣＫ／ＮＡＣＫチャネル化（ｃｈａｎｎｅｌｉｚａｔｉｏｎ）を説明する図である。図１０は、
【０１６９】
【化２８】
2018026865.tif 000043
【０１７０】
の場合に該当する。
【０１７１】
図１１は、同一ＰＲＢにおいてＰＵＣＣＨフォーマット１ａ／１ｂとフォーマット２／２ａ／２ｂとが混合された構造に対するチャネル化を示す図である。
【０１７２】
循環シフト（ＣＳ：Ｃｙｃｌｉｃ  Ｓｈｉｆｔ）ホッピング（ｈｏｐｐｉｎｇ）と直交カバー（ＯＣ：Ｏｒｔｈｏｇｏｎａｌ  Ｃｏｖｅｒ）再マッピング（ｒｅｍａｐｐｉｎｇ）を、次のように適用することができる。
【０１７３】
（１）インターセル干渉（ｉｎｔｅｒ−ｃｅｌｌ  ｉｎｔｅｒｆｅｒｅｎｃｅ）のランダム化のためのシンボルベースセル特定ＣＳホッピング
（２）スロットレベルＣＳ／ＯＣ再マッピング
１）インターセル干渉ランダム化のために
２）ＡＣＫ／ＮＡＣＫチャネルとリソース（ｋ）間のマッピングのためのスロットベース接近
一方、ＰＵＣＣＨフォーマット１ａ／１ｂのためのリソース（ｎｒ）は次の組合せを含む。
【０１７４】
（１）ＣＳ（＝シンボルレベルでＤＦＴ直交コードと同一）（ｎｃｓ）
（２）ＯＣ（スロットレベルで直交カバー）（ｎｏｃ）
（３）周波数ＲＢ（Ｒｅｓｏｕｒｃｅ  Ｂｌｏｃｋ）（ｎｒｂ）
ＣＳ、ＯＣ、ＲＢを示すインデックスをそれぞれｎｃｓ、ｎｏｃ、ｎｒｂとすれば、代表インデックス（ｒｅｐｒｅｓｅｎｔａｔｉｖｅ  ｉｎｄｅｘ）ｎｒはｎｃｓ、ｎｏｃ、ｎｒｂを含む。ｎｒは、ｎｒ＝（ｎｃｓ、ｎｏｃ、ｎｒｂ）を満たす。
【０１７５】
ＣＱＩ、ＰＭＩ、ＲＩ、及びＣＱＩとＡＣＫ／ＮＡＣＫとの組合せは、ＰＵＣＣＨフォーマット２／２ａ／２ｂで伝達することができる。このとき、リードマラー（ＲＭ：Ｒｅｅｄ  Ｍｕｌｌｅｒ）チャネルコーディングを適用することができる。
【０１７６】
例えば、ＬＴＥシステムにおいてＵＬ  ＣＱＩのためのチャネルコーディングは、次のように記述される。ビットストリーム（ｂｉｔ  ｓｔｒｅａｍ）
【０１７７】
【化２９】
2018026865.tif 000044
【０１７８】
は、（２０、Ａ）ＲＭコードを用いてチャネルコーディングされる。ここで、
【０１７９】
【化３０】
2018026865.tif 000045
【０１８０】
は、ＭＳＢ（Ｍｏｓｔ  Ｓｉｇｎｉｆｉｃａｎｔ  Ｂｉｔ）とＬＳＢ（Ｌｅａｓｔ  Ｓｉｇｎｉｆｉｃａｎｔ  Ｂｉｔ）を表す。拡張ＣＰの場合、ＣＱＩとＡＣＫ／ＮＡＣＫが同時送信される場合を除いては最大情報ビットは、１１ビットである。ＲＭコードを用いて２０ビットにコーディングした後、ＱＰＳＫ変調を適用することができる。ＱＰＳＫ変調前に、コーディングされたビットはスクランブルされてもよい。
【０１８１】
表１２には、（２０、Ａ）コードのための基本シーケンスを示す。
【０１８２】
【表１２】
2018026865.tif 000046
【０１８３】
チャネルコーディングビット
【０１８４】
【化３１】
2018026865.tif 000047
【０１８５】
は、下記の式３によって生成することができる。
【０１８６】
【数３】
2018026865.tif 000048
【０１８７】
ここで、ｉ＝０，１，２、…、Ｂ−１を満たす。
【０１８８】
広帯域報告（ｗｉｄｅｂａｎｄ  ｒｅｐｏｒｔｓ）の場合、ＣＱＩ／ＰＭＩのためのＵＣＩ（Ｕｐｌｉｎｋ  Ｃｏｎｔｒｏｌ  Ｉｎｆｏｒｍａｔｉｏｎ）フィールドの帯域幅は、下記の表１３乃至表１５のとおりである。
【０１８９】
表１３には、広帯域報告（単一アンテナポート、送信ダイバーシチ（ｔｒａｎｓｍｉｔ  ｄｉｖｅｒｓｉｔｙ）又はオープンループ空間多重化（ｏｐｅｎ  ｌｏｏｐ  ｓｐａｔｉａｌ  ｍｕｌｔｉｐｌｅｘｉｎｇ）ＰＤＳＣＨ送信）の場合に、ＣＱＩフィードバックのためのＵＣＩフィールドを示す。
【０１９０】
【表１３】
2018026865.tif 000049
表１４には、広帯域報告（閉ループ空間多重化（ｃｌｏｓｅｄ  ｌｏｏｐ  ｓｐａｔｉａｌ  ｍｕｌｔｉｐｌｅｘｉｎｇ）ＰＤＳＣＨ送信）の場合に、ＣＱＩ及びＰＭＩフィードバックのためのＵＣＩフィールドを示す。
【０１９１】
【表１４】
2018026865.tif 000050
【０１９２】
表１５には、広帯域報告の場合、ＲＩフィードバックのためのＵＣＩフィールドを示す。
【０１９３】
【表１５】
2018026865.tif 000051
【０１９４】
図１２は、ＰＲＢ割り当てを示す図である。図１２に示すように、ＰＲＢは、スロットｎｓでＰＵＣＣＨ送信のために用いることができる。
【０１９５】
２．  キャリア併合（ＣＡ：Ｃａｒｒｉｅｒ  Ａｇｇｒｅｇａｔｉｏｎ）環境
２．１  ＣＡ一般
３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；Ｒｅｌ−８又はＲｅｌ−９）システム（以下、ＬＴＥシステム）は、単一コンポーネントキャリア（ＣＣ：Ｃｏｍｐｏｎｅｎｔ  Ｃａｒｒｉｅｒ）を複数の帯域に分割して使用する多重搬送波変調（ＭＣＭ：Ｍｕｌｔｉ−Ｃａｒｒｉｅｒ  Ｍｏｄｕｌａｔｉｏｎ）方式を用いる。しかし、３ＧＰＰ  ＬＴＥ−Ａｄｖａｎｃｅｄシステム（以下、ＬＴＥ−Ａシステム）では、ＬＴＥシステムに比べて広帯域のシステム帯域幅を支援するために、一つ以上のコンポーネントキャリアを結合して使用するキャリア併合（ＣＡ：Ｃａｒｒｉｅｒ  Ａｇｇｒｅｇａｔｉｏｎ）のような方法を用いることができる。キャリア併合は、搬送波集成、搬送波整合、マルチコンポーネントキャリア環境（Ｍｕｌｔｉ−ＣＣ）、又はマルチキャリア環境と呼ぶこともできる。
【０１９６】
本発明でマルチキャリアはキャリアの併合（又は、搬送波集成）を意味し、この場合、キャリアの併合は、隣接した（ｃｏｎｔｉｇｕｏｕｓ）キャリア間の併合だけでなく、非隣接した（ｎｏｎ−ｃｏｎｔｉｇｕｏｕｓ）キャリア間の併合も意味する。また、下りリンクと上りリンクにおいて集成されるコンポーネントキャリアの数を異なるように設定してもよい。下りリンクコンポーネントキャリア（以下、‘ＤＬ  ＣＣ’という。）数と上りリンクコンポーネントキャリア（以下、‘ＵＬ  ＣＣ’という。）数とが一致する場合を対称的（ｓｙｍｍｅｔｒｉｃ）併合といい、両者の数が異なる場合を非対称的（ａｓｙｍｍｅｔｒｉｃ）併合という。このようなキャリア併合は、搬送波集成、帯域幅集成（ｂａｎｄｗｉｄｔｈ  ａｇｇｒｅｇａｔｉｏｎ）、スペクトラム集成（ｓｐｅｃｔｒｕｍ  ａｇｇｒｅｇａｔｉｏｎ）などのような用語に言い換えてもよい。
【０１９７】
２つ以上のコンポーネントキャリアが結合して構成されるキャリア併合は、ＬＴＥ−Ａシステムでは１００ＭＨｚ帯域幅まで支援することを目標とする。目標帯域よりも小さい帯域幅を有する１個以上のキャリアを結合するとき、結合するキャリアの帯域幅は、既存ＩＭＴシステムとの互換性（ｂａｃｋｗａｒｄ  ｃｏｍｐａｔｉｂｉｌｉｔｙ）維持のために、既存システムで使用する帯域幅に制限することができる。
【０１９８】
例えば、既存の３ＧＰＰ  ＬＴＥシステムでは、｛１．４、３、５、１０、１５、２０｝ＭＨｚ帯域幅を支援し、３ＧＰＰ  ＬＴＥ−ａｄｖａｎｃｅｄシステム（すなわち、ＬＴＥ−Ａ）では、既存システムとの互換のために、それらの帯域幅のみを用いて２０ＭＨｚよりも大きい帯域幅を支援するようにすることができる。また、本発明で用いられるキャリア併合システムは、既存システムで用いる帯域幅にかかわらず、新しい帯域幅を定義してキャリア併合を支援するようにすることもできる。
【０１９９】
また、このようなキャリア併合は、イントラ−バンドＣＡ（Ｉｎｔｒａ−ｂａｎｄ  ＣＡ）とインター−バンドＣＡ（Ｉｎｔｅｒ−ｂａｎｄ  ＣＡ）とに区別できる。イントラ−バンドキャリア併合とは、複数のＤＬ  ＣＣ及び／又はＵＬ  ＣＣが周波数上で隣接したり近接して位置することを意味する。言い換えると、ＤＬ  ＣＣ及び／又はＵＬ  ＣＣのキャリア周波数が同じバンド内に位置することを意味できる。一方、周波数領域において遠く離れている環境をインター−バンドＣＡ（Ｉｎｔｅｒ−Ｂａｎｄ  ＣＡ）と呼ぶことができる。言い換えると、複数のＤＬ  ＣＣ及び／又はＵＬ  ＣＣのキャリア周波数が、互いに異なるバンドに位置することを意味できる。この場合、端末は、キャリア併合環境における通信を行うために、複数のＲＦ（ｒａｄｉｏ  ｆｒｅｑｕｅｎｃｙ）端を使用することができる。
【０２００】
ＬＴＥ−Ａシステムは、無線リソースを管理するためにセル（ｃｅｌｌ）の概念を用いる。上述したキャリア併合環境は、多重セル（ｍｕｌｔｉｐｌｅ  ｃｅｌｌｓ）環境と呼ぶことができる。セルは、下りリンクリソース（ＤＬ  ＣＣ）及び上りリンクリソース（ＵＬ  ＣＣ）の組合せと定義されるか、上りリンクリソースは必須要素ではない。このため、セルは、下りリンクリソース単独、又は下りリンクリソース及び上りリンクリソースの両者で構成することができる。
【０２０１】
例えば、特定端末が、１個の設定されたサービングセル（ｃｏｎｆｉｇｕｒｅｄ  ｓｅｒｖｉｎｇ  ｃｅｌｌ）を有する場合、１個のＤＬ  ＣＣと１個のＵＬ  ＣＣを有することができる。しかし、特定端末が２個以上の設定されたサービングセルを有する場合には、セルの数だけのＤＬ  ＣＣを有し、ＵＬ  ＣＣの数はそれと同数又は小さい数であってもよい。又は、これと逆にＤＬ  ＣＣとＵＬ  ＣＣが構成されてもよい。すなわち、特定端末が複数の設定されたサービングセルを有する場合、ＤＬ  ＣＣの数よりもＵＬ  ＣＣが多いキャリア併合環境が支援されてもよい。
【０２０２】
また、キャリア結合（ＣＡ）は、それぞれのキャリア周波数（セルの中心周波数）が異なる２つ以上のセルの併合と理解されてもよい。キャリア結合でいう‘セル（Ｃｅｌｌ）’は、周波数の観点で説明されるものであり、一般的に使われる、基地局のカバーする地理的領域としての‘セル’とは区別されなければならない。以下、上述したイントラ−バンドキャリア併合をイントラ−バンド多重セルといい、インター−バンドキャリア併合をインター−バンド多重セルという。
【０２０３】
ＬＴＥ−Ａシステムで用いられるセルは、プライマリセル（ＰＣｅｌｌ：Ｐｒｉｍａｒｙ  Ｃｅｌｌ）及びセカンダリセル（ＳＣｅｌｌ：Ｓｅｃｏｎｄａｒｙ  Ｃｅｌｌ）を含む。ＰセルとＳセルはサービングセル（Ｓｅｒｖｉｎｇ  Ｃｅｌｌ）として用いることができる。ＲＲＣ＿ＣＯＮＮＥＣＴＥＤ状態にあるが、キャリア併合が設定されていないか又はキャリア併合を支援しない端末の場合、Ｐセルのみで構成されたサービングセルが１つのみ存在する。一方、ＲＲＣ＿ＣＯＮＮＥＣＴＥＤ状態であるとともに、キャリア併合が設定されている端末の場合、一つ以上のサービングセルが存在してもよく、全体サービングセルにはＰセルと一つ以上のＳセルが含まれる。
【０２０４】
サービングセル（ＰセルとＳセル）は、ＲＲＣパラメータを用いて設定することができる。ＰｈｙｓＣｅｌｌＩｄは、セルの物理層識別子であって、０から５０３までの整数値を有する。ＳＣｅｌｌＩｎｄｅｘは、Ｓセルを識別するために使われる簡略な（ｓｈｏｒｔ）識別子であって、１から７までの整数値を有する。ＳｅｒｖＣｅｌｌＩｎｄｅｘは、サービングセル（Ｐセル又はＳセル）を識別するために使われる簡略な（ｓｈｏｒｔ）識別子であって、０から７までの整数値を有する。０値はＰセルに適用され、ＳＣｅｌｌＩｎｄｅｘはＳセルに適用するためにあらかじめ与えられる。すなわち、ＳｅｒｖＣｅｌｌＩｎｄｅｘにおいて最も小さいセルＩＤ（又はセルインデックス）を有するセルがＰセルとなる。
【０２０５】
Ｐセルはプライマリ周波数（又は、ｐｒｉｍａｒｙ  ＣＣ）上で動作するセルを意味する。端末が初期接続設定（ｉｎｉｔｉａｌ  ｃｏｎｎｅｃｔｉｏｎ  ｅｓｔａｂｌｉｓｈｍｅｎｔ）過程を行ったり、接続再−設定過程を行うために用いられてもよく、ハンドオーバー過程で指示されたセルのことを指してもよい。また、Ｐセルは、キャリア併合環境で設定されたサービングセルのうち、制御関連通信の中心となるセルを意味する。すなわち、端末は、自身のＰセルでのみＰＵＣＣＨ割り当てを受けて送信することができ、システム情報を取得したり、モニタリング手順を変更する時にＰセルのみを用いることができる。Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）は、キャリア併合環境を支援する端末に対して、移動性制御情報（ｍｏｂｉｌｉｔｙＣｏｎｔｒｏｌＩｎｆｏ）を含む上位層のＲＲＣ接続再設定（ＲＲＣＣｏｎｎｅｃｔｉｏｎＲｅｃｏｎｆｉｇｕｔａｉｏｎ）メッセージを用いてハンドオーバー手順のためにＰセルのみを変更することもできる。
【０２０６】
Ｓセルはセカンダリ周波数（又は、Ｓｅｃｏｎｄａｒｙ  ＣＣ）上で動作するセルを意味できる。特定端末にＰセルは１一つのみ割り当てられ、Ｓセルは１つ以上割り当てられてもよい。Ｓセルは、ＲＲＣ接続設定がなされた後に構成可能であり、追加の無線リソースを提供するために用いることができる。キャリア併合環境で設定されたサービングセルにおいてＰセル以外のセル、すなわち、ＳセルにはＰＵＣＣＨが存在しない。
【０２０７】
Ｅ−ＵＴＲＡＮは、Ｓセルをキャリア併合環境を支援する端末に追加する時、ＲＲＣ＿ＣＯＮＮＥＣＴＥＤ状態にある関連したセルの動作に関する全てのシステム情報を特定シグナル（ｄｅｄｉｃａｔｅｄ  ｓｉｇｎａｌ）を用いて提供することができる。システム情報の変更は、関連したＳセルの解除及び追加によって制御することができ、このとき、上位層のＲＲＣ接続再設定（ＲＲＣＣｏｎｎｅｃｔｉｏｎＲｅｃｏｎｆｉｇｕｔａｉｏｎ）メッセージを用いることができる。Ｅ−ＵＴＲＡＮは、関連したＳセル内でブロードキャストするよりは、端末別に異なるパラメータを有する特定シグナリング（ｄｅｄｉｃａｔｅｄ  ｓｉｇｎａｌｉｎｇ）をすればよい。
【０２０８】
初期保安活性化過程が始まった後に、Ｅ−ＵＴＲＡＮは、接続設定過程で初期に構成されるＰセルに加えて一つ以上のＳセルを含むネットワークを構成することができる。キャリア併合環境でＰセル及びＳセルはそれぞれのコンポーネントキャリアとして動作することができる。以下の実施例では、プライマリコンポーネントキャリア（ＰＣＣ）はＰセルと同じ意味で使われ、セカンダリコンポーネントキャリア（ＳＣＣ）はＳセルと同じ意味で使われてもよい。
【０２０９】
図１３は、本発明の実施例で用いられるコンポーネントキャリア（ＣＣ）、及びＬＴＥ＿Ａシステムで用いられるキャリア併合の一例を示す図である。
【０２１０】
図１３（ａ）は、ＬＴＥシステムで用いられる単一キャリア構造を示す。コンポーネントキャリアにはＤＬ  ＣＣとＵＬ  ＣＣがある。一つのコンポーネントキャリアは２０ＭＨｚの周波数範囲を有することができる。
【０２１１】
図１３（ｂ）は、ＬＴＥ＿Ａシステムで用いられるキャリア併合構造を示す。図１２（ｂ）では、２０ＭＨｚの周波数サイズを有する３個のコンポーネントキャリアが結合された場合を示している。ＤＬ  ＣＣとＵＬ  ＣＣがそれぞれ３個ずつあるが、ＤＬ  ＣＣとＵＬ  ＣＣの個数に制限があるわけではない。キャリア併合の場合、端末は３個のＣＣを同時にモニタリングすることができ、下りリンク信号／データを受信することができ、上りリンク信号／データを送信することができる。
【０２１２】
仮に、特定セルでＮ個のＤＬ  ＣＣが管理される場合には、ネットワークは、端末にＭ（Ｍ≦Ｎ）個のＤＬ  ＣＣを割り当てることができる。この時、端末はＭ個の制限されたＤＬ  ＣＣのみをモニタリングしてＤＬ信号を受信することができる。また、ネットワークはＬ（Ｌ≦Ｍ≦Ｎ）個のＤＬ  ＣＣに優先順位を与えて主なＤＬ  ＣＣを端末に割り当てることもでき、この場合、ＵＥはＬ個のＤＬ  ＣＣは必ずモニタリングしなければならない。この方式は上りリンク送信にも同一に適用されてもよい。
【０２１３】
下りリンクリソースの搬送波周波数（又はＤＬ  ＣＣ）と上りリンクリソースの搬送波周波数（又は、ＵＬ  ＣＣ）とのリンケージ（ｌｉｎｋａｇｅ）は、ＲＲＣメッセージのような上位層メッセージやシステム情報で示すことができる。例えば、ＳＩＢ２（Ｓｙｓｔｅｍ  Ｉｎｆｏｒｍａｔｉｏｎ  Ｂｌｏｃｋ  Ｔｙｐｅ２）によって定義されるリンケージによってＤＬリソースとＵＬリソースとの組合せを構成することができる。具体的に、リンケージは、ＵＬグラントを運ぶＰＤＣＣＨが送信されるＤＬ  ＣＣと該ＵＬグラントを用いるＵＬ  ＣＣとのマッピング関係を意味することができ、ＨＡＲＱのためのデータが送信されるＤＬ  ＣＣ（又はＵＬ  ＣＣ）とＨＡＲＱ  ＡＣＫ／ＮＡＣＫ信号が送信されるＵＬ  ＣＣ（又はＤＬ  ＣＣ）とのマッピング関係を意味することもできる。
【０２１４】
２．２  クロスキャリアスケジューリング（Ｃｒｏｓｓ  Ｃａｒｒｉｅｒ  Ｓｃｈｅｄｕｌｉｎｇ）
キャリア併合システムには、キャリア（又は搬送波）又はサービングセル（Ｓｅｒｖｉｎｇ  Ｃｅｌｌ）に対するスケジューリング観点で、自己スケジューリング（Ｓｅｌｆ−Ｓｃｈｅｄｕｌｉｎｇ）方法及びクロスキャリアスケジューリング（Ｃｒｏｓｓ  Ｃａｒｒｉｅｒ  Ｓｃｈｅｄｕｌｉｎｇ）方法がある。クロスキャリアスケジューリングは、クロスコンポーネントキャリアスケジューリング（Ｃｒｏｓｓ  Ｃｏｍｐｏｎｅｎｔ  Ｃａｒｒｉｅｒ  Ｓｃｈｅｄｕｌｉｎｇ）又はクロスセルスケジューリング（Ｃｒｏｓｓ  Ｃｅｌｌ  Ｓｃｈｅｄｕｌｉｎｇ）と呼ぶこともできる。
【０２１５】
自己スケジューリングは、ＰＤＣＣＨ（ＤＬ  Ｇｒａｎｔ）とＰＤＳＣＨが同一ＤＬ  ＣＣで送信されたり、又はＤＬ  ＣＣで送信されたＰＤＣＣＨ（ＵＬグラント）によって送信されるＰＵＳＣＨが、ＵＬグラントを受信したＤＬ  ＣＣとリンクされているＵＬ  ＣＣで送信されることを意味する。
【０２１６】
クロスキャリアスケジューリングは、ＰＤＣＣＨ（ＤＬグラント）とＰＤＳＣＨがそれぞれ異なるＤＬ  ＣＣで送信されたり、又はＤＬ  ＣＣで送信されたＰＤＣＣＨ（ＵＬグラント）によって送信されるＰＵＳＣＨが、ＵＬグラントを受信したＤＬ  ＣＣとリンクされているＵＬ  ＣＣ以外のＵＬ  ＣＣで送信されることを意味する。
【０２１７】
クロスキャリアスケジューリングは、端末特定（ＵＥ−ｓｐｅｃｉｆｉｃ）に活性化又は非活性化することができ、上位層シグナリング（例えば、ＲＲＣシグナリング）用いて半静的（ｓｅｍｉ−ｓｔａｔｉｃ）に各端末に対して知らせることができる。
【０２１８】
クロスキャリアスケジューリングが活性化された場合、ＰＤＣＣＨには、該ＰＤＣＣＨが示すＰＤＳＣＨ／ＰＵＳＣＨがどのＤＬ／ＵＬ  ＣＣで送信されるかを知らせるキャリア指示子フィールド（ＣＩＦ：Ｃａｒｒｉｅｒ  Ｉｎｄｉｃａｔｏｒ  Ｆｉｅｌｄ）が必要である。例えば、ＰＤＣＣＨは、ＰＤＳＣＨリソース又はＰＵＳＣＨリソースをＣＩＦを用いて複数のコンポーネントキャリアのうちの一つに割り当てることができる。すなわち、ＤＬ  ＣＣ上のＰＤＣＣＨが多重集成されたＤＬ／ＵＬ  ＣＣのうちの一つにＰＤＳＣＨ又はＰＵＳＣＨリソースを割り当てる場合にＣＩＦが設定される。この場合、ＬＴＥ  Ｒｅｌｅａｓｅ−８のＤＣＩフォーマットはＣＩＦによって拡張されてもよい。このとき、設定されたＣＩＦは、３ビットフィールドに固定されてもよく、設定されたＣＩＦの位置はＤＣＩフォーマットサイズに関係なく固定されてもよい。また、ＬＴＥ  Ｒｅｌｅａｓｅ−８のＰＤＣＣＨ構造（同一のコーディング及び同一のＣＣＥベースのリソースマッピング）を再使用してもよい。
【０２１９】
一方、ＤＬ  ＣＣ上のＰＤＣＣＨが同ＤＬ  ＣＣ上のＰＤＳＣＨリソースを割り当てたり、単一リンクされたＵＬ  ＣＣ上のＰＵＳＣＨリソースを割り当てる場合には、ＣＩＦが設定されない。この場合、ＬＴＥ  Ｒｅｌｅａｓｅ−８と同じＰＤＣＣＨ構造（同一のコーディング及び同一のＣＣＥベースのリソースマッピング）とＤＣＩフォーマットが用いられてもよい。
【０２２０】
クロスキャリアスケジューリングが可能な場合、端末はＣＣ別送信モード及び／又は帯域幅によってモニタリングＣＣの制御領域で複数のＤＣＩに対するＰＤＣＣＨをモニタリングする必要がある。このため、これを支援できる検索空間の構成とＰＤＣＣＨモニタリングが必要である。
【０２２１】
キャリア併合システムにおいて、端末ＤＬ  ＣＣ集合は、端末がＰＤＳＣＨを受信するようにスケジュールされたＤＬ  ＣＣの集合を指し、端末ＵＬ  ＣＣ集合は、端末がＰＵＳＣＨを送信するようにスケジュールされたＵＬ  ＣＣの集合を指す。また、ＰＤＣＣＨモニタリング集合（ｍｏｎｉｔｏｒｉｎｇ  ｓｅｔ）は、ＰＤＣＣＨモニタリングを行う少なくとも一つのＤＬ  ＣＣの集合を意味する。ＰＤＣＣＨモニタリング集合は、端末ＤＬ  ＣＣ集合と同一であってもよく、端末ＤＬ  ＣＣ集合の副集合（ｓｕｂｓｅｔ）であってもよい。ＰＤＣＣＨモニタリング集合は、端末ＤＬ  ＣＣ集合におけるＤＬ  ＣＣの少なくとも一つを含むことができる。又は、ＰＤＣＣＨモニタリング集合は、端末ＤＬ  ＣＣ集合とは別個に定義されてもよい。ＰＤＣＣＨモニタリング集合に含まれるＤＬ  ＣＣは、リンクされたＵＬ  ＣＣに対する自己スケジューリング（ｓｅｌｆ−ｓｃｈｅｄｕｌｉｎｇ）は常に可能なように設定することができる。このような、端末ＤＬ  ＣＣ集合、端末ＵＬ  ＣＣ集合及びＰＤＣＣＨモニタリング集合は、端末特定（ＵＥ−ｓｐｅｃｉｆｉｃ）、端末グループ特定（ＵＥ  ｇｒｏｕｐ−ｓｐｅｃｉｆｉｃ）又はセル特定（Ｃｅｌｌ−ｓｐｅｃｉｆｉｃ）に設定することができる。
【０２２２】
クロスキャリアスケジューリングが非活性化された場合には、ＰＤＣＣＨモニタリング集合が常に端末ＤＬ  ＣＣ集合と同一であるということを意味し、このような場合にはＰＤＣＣＨモニタリング集合に対する別のシグナリングのような指示が必要でない。しかし、クロスキャリアスケジューリングが活性化された場合には、ＰＤＣＣＨモニタリング集合が端末ＤＬ  ＣＣ集合内で定義されることが好ましい。すなわち、端末に対してＰＤＳＣＨ又はＰＵＳＣＨをスケジューリングするために、基地局はＰＤＣＣＨモニタリング集合のみを通じてＰＤＣＣＨを送信する。
【０２２３】
図１４は、本発明の実施例で用いられるクロスキャリアスケジューリングによるＬＴＥ−Ａシステムのサブフレーム構造を示す図である。
【０２２４】
図１４を参照すると、ＬＴＥ−Ａ端末のためのＤＬサブフレームは、３個の下りリンクコンポーネントキャリア（ＤＬ  ＣＣ）が結合されており、ＤＬ  ＣＣ  ‘Ａ’はＰＤＣＣＨモニタリングＤＬ  ＣＣとして設定された場合を示す。ＣＩＦが使用されない場合、各ＤＬ  ＣＣはＣＩＦ無しで自身のＰＤＳＣＨをスケジューリングするＰＤＣＣＨを送信することができる。一方、ＣＩＦが上位層シグナリングによって使用される場合には、一つのＤＬ  ＣＣ  ‘Ａ’のみがＣＩＦを用いて自身のＰＤＳＣＨ又は他のＣＣのＰＤＳＣＨをスケジューリングするＰＤＣＣＨを送信することができる。この時、ＰＤＣＣＨモニタリングＤＬ  ＣＣとして設定されていないＤＬ  ＣＣ  ‘Ｂ’及び’Ｃ’はＰＤＣＣＨを送信しない。
【０２２５】
図１５は、本発明の実施例で用いられるクロスキャリアスケジューリングによるサービングセル構成の一例を示す図である。
【０２２６】
キャリア結合（ＣＡ）を支援する無線接続システムでは基地局及び／又は端末を一つ以上のサービングセルで構成することができる。図１５で、基地局は、Ａセル、Ｂセル、Ｃセル及びＤセルの総４個のサービングセルを支援することができ、端末ＡはＡセル、Ｂセル及びＣセルで構成され、端末ＢはＢセル、Ｃセル及びＤセルで構成され、端末ＣはＢセルで構成された場合を仮定する。ここで、各端末に構成されたセルのうち少なくとも一つをＰセルとして設定することができる。この時、Ｐセルは常に活性化された状態であり、Ｓセルは基地局及び／又は端末によって活性化又は非活性化されてもよい。
【０２２７】
図１５で、構成されたセルは、基地局のセルのうち、端末からの測定報告（ｍｅａｓｕｒｅｍｅｎｔ  ｒｅｐｏｒｔ）メッセージに基づいてＣＡにセル追加が可能なセルであって、端末別に設定可能である。構成されたセルは、ＰＤＳＣＨ信号送信に対するＡＣＫ／ＮＡＣＫメッセージの送信のためのリソースをあらかじめ予約しておく。活性化されたセル（Ａｃｔｉｖａｔｅｄ  ｃｅｌｌ）は、構成されたセルのうち、実際にＰＤＳＣＨ信号及び／又はＰＵＳＣＨ信号を送信するように設定されたセルであり、ＣＳＩ報告及びＳＲＳ（Ｓｏｕｎｄｉｎｇ  Ｒｅｆｅｒｅｎｃｅ  Ｓｉｇｎａｌ）送信を行う。非活性化されたセル（Ｄｅ−Ａｃｔｉｖａｔｅｄ  ｃｅｌｌ）は、基地局の命令又はタイマー動作によってＰＤＳＣＨ／ＰＵＳＣＨ信号の送受信を行わないように構成されるセルであって、ＣＳＩ報告及びＳＲＳ送信も中断される。
【０２２８】
２．３  ＣＡ  ＰＵＣＣＨ（Ｃａｒｒｉｅｒ  Ａｇｇｒｅｇａｔｉｏｎ  Ｐｈｙｓｉｃａｌ  Ｕｐｌｉｎｋ  Ｃｏｎｔｒｏｌ  Ｃｈａｎｎｅｌ）
キャリア併合を支援する無線通信システムにおいてＵＣＩ（例えば、多重ＡＣＫ／ＮＡＣＫ、ＳＲ、ＣＳＩなど）をフィードバックするためのＰＵＣＣＨフォーマットを定義することができる。以下、説明の便宜のために、このようなＰＵＣＣＨのフォーマットをＣＡ  ＰＵＣＣＨフォーマットと呼ぶ。
【０２２９】
図１６は、ＣＡ  ＰＵＣＣＨの信号処理過程を例示する図である。
【０２３０】
図１６を参照すると、チャネルコーディングブロック（ｃｈａｎｎｅｌ  ｃｏｄｉｎｇ  ｂｌｏｃｋ）は、情報ビットａ＿０、ａ＿１、…、ａ＿Ｍ−１（例、多重ＡＣＫ／ＮＡＣＫビット）をチャネルコーディングしてコーディングビット（ｅｎｃｏｄｅｄ  ｂｉｔ、ｃｏｄｅｄ  ｂｉｔ  ｏｒ  ｃｏｄｉｎｇ  ｂｉｔ）（又は、コードワード）ｂ＿０、ｂ＿１、…、ｂ＿Ｎ−１を生成する。Ｍは情報ビットのサイズを表し、Ｎはコーディングビットのサイズを表す。情報ビットは、上りリンク制御情報（ＵＣＩ）、例えば、複数の下りリンクコンポーネントキャリアで受信した複数のデータ（又はＰＤＳＣＨ）に対する多重ＡＣＫ／ＮＡＣＫを含む。ここで、情報ビットａ＿０、ａ＿１、…、ａ＿Ｍ−１は、情報ビットを構成するＵＣＩの種類／個数／サイズにかかわらずにジョイントコーディングされる。例えば、情報ビットが複数の下りリンクコンポーネントキャリアに対する多重ＡＣＫ／ＮＡＣＫを含む場合、チャネルコーディングは、下りリンクコンポーネントキャリア別、個別ＡＣＫ／ＮＡＣＫビット別に行われず、全体ビット情報を対象に行われ、これによって単一コードワードが生成される。チャネルコーディングはこれに制限されるものではないが、単純反復（ｒｅｐｅｔｉｔｉｏｎ）、単純コーディング（ｓｉｍｐｌｅｘ  ｃｏｄｉｎｇ）、ＲＭ（Ｒｅｅｄ  Ｍｕｌｌｅｒ）コーディング、パンクチャリングされたＲＭコーディング、ＴＢＣＣ（Ｔａｉｌ−ｂｉｔｉｎｇ  ｃｏｎｖｏｌｕｔｉｏｎａｌ  ｃｏｄｉｎｇ）、ＬＤＰＣ（ｌｏｗ−ｄｅｎｓｉｔｙ  ｐａｒｉｔｙ−ｃｈｅｃｋ）或いはターボ−コーディングを含む。図示してはいないが、コーディングビットは、変調次数とリソース量を考慮してレート−マッチング（ｒａｔｅ−ｍａｔｃｈｉｎｇ）されてもよい。レートマッチング機能は、チャネルコーディングブロックの一部として含まれてもよく、別個の機能ブロックで行われてもよい。
【０２３１】
変調器（ｍｏｄｕｌａｔｏｒ）は、コーディングビットｂ＿０、ｂ＿１、…、ｂ＿Ｎ−１を変調して変調シンボルｃ＿０、ｃ＿１、…、ｃ＿Ｌ−１を生成する。Ｌは変調シンボルのサイズを表す。変調は、送信信号のサイズと位相を変形することによって行われる。変調方法は、例えば、ｎ−ＰＳＫ（Ｐｈａｓｅ  Ｓｈｉｆｔ  Ｋｅｙｉｎｇ）、ｎ−ＱＡＭ（Ｑｕａｄｒａｔｕｒｅ  Ａｍｐｌｉｔｕｄｅ  Ｍｏｄｕｌａｔｉｏｎ）を含む（ｎは、２以上の整数）。具体的に、変調方法は、ＢＰＳＫ（Ｂｉｎａｒｙ  ＰＳＫ）、ＱＰＳＫ（Ｑｕａｄｒａｔｕｒｅ  ＰＳＫ）、８−ＰＳＫ、ＱＡＭ、１６−ＱＡＭ、６４−ＱＡＭなどを含むことができる。
【０２３２】
分周器（ｄｉｖｉｄｅｒ）は、変調シンボルｃ＿０、ｃ＿１、…、ｃ＿Ｌ−１を各スロットに分周する。変調シンボルを各スロットに分周する順序／パターン／方式は別に制限されない。例えば、分周器は、変調シンボルを前から順にそれぞれのスロットに分周することができる（ローカル型方式）。この場合、図示のように、変調シンボルｃ＿０、ｃ＿１、…、ｃ＿Ｌ／２−１はスロット０に、変調シンボルｃ＿Ｌ／２、ｃ＿Ｌ／２＋１、…、ｃ＿Ｌ−１はスロット１に分周することができる。また、変調シンボルは、それぞれのスロットに分周時に、インターリービング（又はパーミュテーション）されてもよい。例えば、偶数の変調シンボルはスロット０に分周され、奇数の変調シンボルはスロット１に分周されてもよい。変調過程と分周過程をの順序を互いに変えてもよい。
【０２３３】
ＤＦＴプリコーダ（ｐｒｅｃｏｄｅｒ）は、単一搬送波波形（ｓｉｎｇｌｅ  ｃａｒｒｉｅｒ  ｗａｖｅｆｏｒｍ）を生成するために、それぞれのスロットに分周された変調シンボルに対してＤＦＴプリコーディング（例、１２−ポイントＤＦＴ）を行う。同面を参照すると、スロット０に分周された変調シンボルｃ＿０、ｃ＿１、…、ｃ＿Ｌ／２−１は、ＤＦＴシンボルｄ＿０、ｄ＿１、…、ｄ＿Ｌ／２−１にＤＦＴプリコーディングされ、スロット１に分周された変調シンボルｃ＿Ｌ／２、ｃ＿Ｌ／２＋１、…、ｃ＿Ｌ−１は、ＤＦＴシンボルｄ＿Ｌ／２、ｄ＿Ｌ／２＋１、…、ｄ＿Ｌ−１にＤＦＴプリコーディングされる。ＤＦＴプリコーディングは、相応する他の線形演算（ｌｉｎｅａｒ  ｏｐｅｒａｔｉｏｎ）（例、ｗａｌｓｈ  ｐｒｅｃｏｄｉｎｇ）に取り替えてもよい。
【０２３４】
拡散ブロック（ｓｐｒｅａｄｉｎｇ  ｂｌｏｃｋ）は、ＤＦＴの行われた信号をＳＣ−ＦＤＭＡシンボルレベルで（時間ドメイン）拡散する。ＳＣ−ＦＤＭＡシンボルレベルの時間ドメイン拡散は、拡散コード（或いは、拡散シーケンス）を用いて行われる。拡散コードは、準直交コードと直交コードを含む。準直交コードは、これに制限されるものではないが、ＰＮ（Ｐｓｅｕｄｏ  Ｎｏｉｓｅ）コードを含む。直交コードは、これに制限されるものではないが、ウォルシュコード、ＤＦＴコードを含む。直交コード（Ｏｒｔｈｏｇｏｎａｌ  Ｃｏｄｅ、ＯＣ）は、直交シーケンス（ｏｒｔｈｏｇｏｎａｌ  ｓｅｑｕｅｎｃｅ）、直交カバー（Ｏｒｔｈｏｇｏｎａｌ  Ｃｏｖｅｒ、ＯＣ）、直交カバーコード（Ｏｒｔｈｏｇｏｎａｌ  Ｃｏｖｅｒ  Ｃｏｄｅ、ＯＣＣ）と同じ意味で使われてもよい。本明細書は、説明の容易性のために、拡散コードの代表例として直交コードを取り上げて説明するが、これは例示であり、直交コードは準直交コードに取って代わってもよい。拡散コードサイズ（又は、拡散因子（ＳＦ：Ｓｐｒｅａｄｉｎｇ  Ｆａｃｔｏｒ））の最大値は、制御情報の送信に用いられるＳＣ−ＦＤＭＡシンボルの個数によって制限される。例えば、１スロットで５個のＳＣ−ＦＤＭＡシンボルが制御情報の送信に用いられる場合、スロット別に長さ５の（準）直交コード（ｗ０，ｗ１，ｗ２，ｗ３，ｗ４）を用いることができる。ＳＦは、制御情報の拡散度を意味し、端末の多重化次数（ｍｕｌｔｉｐｌｅｘｉｎｉｇ  ｏｒｄｅｒ）又はアンテナ多重化次数と関連してもよい。ＳＦは、１，２，３，４，５、…のようにシステムの要求条件によって可変してもよい。また、ＳＦは、基地局と端末との間にあらかじめ定義されていてもよく、ＤＣＩ或いはＲＲＣシグナリングによって端末に知らされてもよい。
【０２３５】
上記の過程を経て生成された信号は、ＰＲＢ内の副搬送波にマップされた後、ＩＦＦＴを経て時間ドメイン信号に変換される。時間ドメイン信号にはＣＰが付加され、生成されたＳＣ−ＦＤＭＡシンボルはＲＦ端から送信される。
【０２３６】
３．  チャネル状態情報（ＣＳＩ：Ｃｈａｎｎｅｌ  Ｓｔａｔｅ  Ｉｎｆｏｒｍａｔｉｏｎ）のフィードバック方法
３．１  チャネル状態情報（ＣＳＩ）
まず、３ＧＰＰ  ＬＴＥシステムでは、下りリンク受信主体（例えば、端末）が下りリンク送信主体（例えば、基地局）に接続している時に、下りリンクで送信される参照信号の受信強度（ＲＳＲＰ：ｒｅｆｅｒｅｎｃｅ  ｓｉｇｎａｌ  ｒｅｃｅｉｖｅｄ  ｐｏｗｅｒ）、参照信号の品質（ＲＳＲＱ：ｒｅｆｅｒｅｎｃｅ  ｓｉｇｎａｌ  ｒｅｃｅｉｖｅｄ  ｑｕａｌｉｔｙ）などに対する測定を任意の時間に行い、測定結果を基地局に周期的（ｐｅｒｉｏｄｉｃ）に或いはイベントベース（ｅｖｅｎｔ  ｔｒｉｇｇｅｒｅｄ）に報告することができる。
【０２３７】
それぞれの端末は、下りリンクチャネル状況による下りリンクチャネル情報を上りリンクで報告し、基地局はそれぞれの端末から受信した下りリンクチャネル情報を用いて、それぞれの端末別にデータ送信のために適切な時間／周波数リソースと変調及びコーディング技法（ＭＣＳ：Ｍｏｄｕｌａｔｉｏｎ  ａｎｄ  Ｃｏｄｉｎｇ  Ｓｃｈｅｍｅ）などを定めることができる。
【０２３８】
このようなチャネル状態情報（ＣＳＩ：Ｃｈａｎｎｅｌ  Ｓｔａｔｅ  Ｉｎｆｏｒｍａｔｉｏｎ）は、ＣＱＩ（Ｃｈａｎｎｅｌ  Ｑｕａｌｉｔｙ  Ｉｎｄｉｃａｔｉｏｎ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｅｒ  Ｔｙｐｅ  Ｉｎｄｉｃａｔｉｏｎ）及び／又はＲＩ（Ｒａｎｋ  Ｉｎｄｉｃａｔｉｏｎ）で構成することができる。また、それぞれの端末の送信モードによって、ＣＳＩは全て送信されてもよく、一部のみ送信されてもよい。ＣＱＩは、端末の受信信号品質（ｒｅｃｅｉｖｅｄ  ｓｉｇｎａｌ  ｑｕａｌｉｔｙ）によって定められるが、これは一般に、下りリンク参照信号の測定に基づいて決定することができる。このとき、実際に基地局に伝達されるＣＱＩ値は、端末の測定した受信信号品質でブロックエラー率（ＢＬＥＲ：Ｂｌｏｃｋ  Ｅｒｒｏｒ  Ｒａｔｅ）を１０％以下に維持しながら最大の性能を奏するＭＣＳに該当する。
【０２３９】
また、このようなチャネル情報の報告方式は、周期的に送信される周期的報告（ｐｅｒｉｏｄｉｃ  ｒｅｐｏｒｔｉｎｇ）と、基地局の要請に応じて送信される非周期的報告（ａｐｅｒｉｏｄｉｃ  ｒｅｐｏｒｔｉｎｇ）とに区別される。
【０２４０】
非周期的報告の場合、基地局が端末に送信する上りリンクスケジューリング情報に含まれた１又は２ビットの要請ビット（ＣＱＩ  ｒｅｑｕｅｓｔ  ｂｉｔ）によってそれぞれの端末に設定され、それぞれの端末は、この情報を受けると、自身の送信モードを考慮したチャネル情報をＰＵＳＣＨで基地局に伝達することができる。同じＰＵＳＣＨ上でＲＩ及びＣＱＩ／ＰＭＩが送信されないように設定することができる。
【０２４１】
周期的報告の場合、上位層信号を用いて、チャネル情報の送信される周期、及び当該周期におけるオフセット（ｏｆｆｓｅｔ）などをサブフレーム単位にそれぞれの端末にシグナルし、定められた周期にしたがって、それぞれの端末の送信モードを考慮したチャネル情報をＰＵＣＣＨで基地局に伝達することができる。定められた周期にしたがってチャネル情報が送信されるサブフレームに、上りリンクで送信されるデータが同時に存在する場合には、当該チャネル情報をＰＵＣＣＨではなくＰＵＳＣＨでデータと併せて送信することができる。ＰＵＣＣＨを用いる周期的報告の場合には、ＰＵＳＣＨに比べて制限されたビット（例えば、１１ビット）が用いられてもよい。同じＰＵＳＣＨ上でＲＩ及びＣＱＩ／ＰＭＩが送信されてもよい。
【０２４２】
周期的報告と非周期的報告とが同一のサブフレーム内で衝突する場合には、非周期的報告のみを行うことができる。
【０２４３】
広帯域（Ｗｉｄｅｂａｎｄ）ＣＱＩ／ＰＭＩの計算において、最も最近に送信されたＲＩを用いることができる。ＰＵＣＣＨ  ＣＳＩ報告モード（ｒｅｐｏｒｔｉｎｇ  ｍｏｄｅ）におけるＲＩは、ＰＵＳＣＨ  ＣＳＩ報告モードにおけるＲＩとは独立しており（ｉｎｄｅｐｅｎｄｅｎｔ）、ＰＵＳＣＨ  ＣＳＩ報告モードにおけるＲＩは、当該ＰＵＳＣＨ  ＣＳＩ報告モードにおけるＣＱＩ／ＰＭＩにのみ有効（ｖａｌｉｄ）である。
【０２４４】
表１６は、ＰＵＣＣＨで送信されるＣＳＩフィードバックタイプ及びＰＵＣＣＨ  ＣＳＩ報告モードを説明する表である。
【０２４５】
【表１６】
2018026865.tif 000052
【０２４６】
表１６を参照すると、チャネル状態情報の周期的報告（ｐｅｒｉｏｄｉｃ  ｒｅｐｏｒｔｉｎｇ）においてＣＱＩとＰＭＩフィードバックタイプによって、モード１−０、１−１、２−０及び２−１の４つの報告モード（ｒｅｐｏｒｔｉｎｇ  ｍｏｄｅ）に区別することができる。
【０２４７】
ＣＱＩフィードバックタイプによって広帯域ＣＱＩ（ＷＢ  ＣＱＩ：ｗｉｄｅｂａｎｄ  ＣＱＩ）とサブバンド（ＳＢ  ＣＱＩ：ｓｕｂｂａｎｄ  ＣＱＩ）とに分けられ、ＰＭＩ送信の有無によってＮｏ  ＰＭＩと単一（ｓｉｎｇｌｅ）ＰＭＩとに分けられる。表１６では、Ｎｏ  ＰＭＩが開−ループ（ＯＬ：ｏｐｅｎ−ｌｏｏｐ）、送信ダイバーシチ（ＴＤ：Ｔｒａｎｓｍｉｔ  Ｄｉｖｅｒｓｉｔｙ）及び単一−アンテナ（ｓｉｎｇｌｅ−ａｎｔｅｎｎａ）の場合に該当し、単一ＰＭＩは閉−ループ（ＣＬ：ｃｌｏｓｅｄ−ｌｏｏｐ）に該当する。
【０２４８】
モード１−０は、ＰＭＩ送信はなく、ＷＢ  ＣＱＩが送信される場合である。この場合、ＲＩは、開−ループ（ＯＬ）空間多重化（ＳＭ：Ｓｐａｔｉａｌ  Ｍｕｌｔｉｐｌｅｘｉｎｇ）の場合にのみ送信され、４ビットで表現される一つのＷＢ  ＣＱＩが送信される。ＲＩが１を超える場合には、第１コードワードに対するＣＱＩが送信されてもよい。
【０２４９】
モード１−１は、単一ＰＭＩ及びＷＢ  ＣＱＩが送信される場合である。この場合、ＲＩ送信と併せて、４ビットのＷＢ  ＣＱＩ及び４ビットのＷＢ  ＰＭＩが送信されてもよい。さらに、ＲＩが１超える場合には、３ビットのＷＢ空間差分ＣＱＩ（Ｗｉｄｅｂａｎｄ  Ｓｐａｔｉａｌ  Ｄｉｆｆｅｒｅｎｔｉａｌ  ＣＱＩ）が送信されてもよい。２コードワードの送信において、ＷＢ空間差分ＣＱＩは、コードワード１に対するＷＢ  ＣＱＩインデックスとコードワード２に対するＷＢ  ＣＱＩインデックスとの差値を表してもよい。これらの差値は、集合｛−４、−３、−２、−１，０，１，２，３｝のいずれか一つの値を有し、３ビットで表現されてもよい。
【０２５０】
モード２−０は、ＰＭＩ送信はなく、端末が選択した（ＵＥ  ｓｅｌｅｃｔｅｄ）帯域のＣＱＩが送信される場合である。この場合、ＲＩは、開−ループ空間多重化（ＯＬ  ＳＭ）の場合にのみ送信され、４ビットで表現されるＷＢ  ＣＱＩが送信されてもよい。また、それぞれの帯域幅部分（ＢＰ：Ｂａｎｄｗｉｄｔｈ  Ｐａｒｔ）で最適（Ｂｅｓｔ−１）のＣＱＩが送信され、Ｂｅｓｔ−１  ＣＱＩは４ビットで表現されてもよい。また、Ｂｅｓｔ−１を指示するＬビットの指示子（ｉｎｄｉｃａｔｏｒ）が併せて送信されてもよい。ＲＩが１を超える場合には、第１コードワードに対するＣＱＩが送信されてもよい。
【０２５１】
モード２−１は、単一ＰＭＩ及び端末が選択した（ＵＥ  ｓｅｌｅｃｔｅｄ）帯域のＣＱＩが送信される場合である。この場合、ＲＩ送信と併せて、４ビットのＷＢ  ＣＱＩ、３ビットのＷＢ空間差分ＣＱＩ及び４ビットのＷＢ  ＰＭＩが送信されてもよい。さらに、それぞれの帯域幅部分（ＢＰ）で４ビットのＢｅｓｔ−１  ＣＱＩが送信され、ＬビットのＢｅｓｔ−１指示子が併せて送信されてもよい。さらに、ＲＩが１超える場合には、３ビットのＢｅｓｔ−１空間差分ＣＱＩが送信されてもよい。これは、２コードワード送信において、コードワード１のＢｅｓｔ−１  ＣＱＩインデックスとコードワード２のＢｅｓｔ−１  ＣＱＩインデックスとの差値を表すことができる。
【０２５２】
各送信モード（ｔｒａｎｓｍｉｓｓｉｏｎ  ｍｏｄｅ）に対して次のように周期的なＰＵＣＣＨ  ＣＳＩ報告モードが支援される。
【０２５３】
１）送信モード１：モード１−０及び２−０
２）送信モード２：モード１−０及び２−０
３）送信モード３：モード１−０及び２−０
４）送信モード４：モード１−１及び２−１
５）送信モード５：モード１−１及び２−１
６）送信モード６：モード１−１及び２−１
７）送信モード７：モード１−０及び２−０
８）送信モード８：端末がＰＭＩ／ＲＩ報告が設定される場合にはモード１−１及び２−１、端末がＰＭＩ／ＲＩ報告をしないように設定される場合にはモード１−０及び２−０
９）送信モード９：端末がＰＭＩ／ＲＩを報告するように設定され、ＣＳＩ−ＲＳポートの数＞１の場合にモード１−１及び２−１、端末がＰＭＩ／ＲＩ報告をしないように設定されたりＣＳＩ−ＲＳポートの数＝１の場合にモード１−０及び２−０
各サービングセルで周期的なＰＵＣＣＨ  ＣＳＩ報告モードは、上位層シグナリングによって設定される。モード１−１は、‘ＰＵＣＣＨ＿ｆｏｒｍａｔ１−１＿ＣＳＩ＿ｒｅｐｏｒｔｉｎｇ＿ｍｏｄｅ’パラメータを使用する上位層シグナリングによってサブモード（ｓｕｂｍｏｄｅ）１又はサブモード２のいずれか一つに設定される。
【０２５４】
端末の選択したＳＢ  ＣＱＩにおいて特定サービングセルの特定サブフレームでＣＱＩ報告は、サービングセルの帯域幅の一部分である帯域幅部分（ＢＰ：Ｂａｎｄｗｉｄｔｈ  Ｐａｒｔ）の一つ以上のチャネル状態の測定を意味する。帯域幅部分は、最も低い周波数から始まって周波数が増加する順序で帯域幅サイズの増加無しでインデックスが与えられる。
【０２５５】
３．２  ＣＳＩフィードバック方法
ＬＴＥシステムでは、チャネル情報無しで運用される開ループＭＩＭＯ（ｏｐｅｎ−ｌｏｏｐ  ＭＩＭＯ）方式と、チャネル情報に基づいて運用される閉ループＭＩＭＯ（ｃｌｏｓｅｄ−ｌｏｏｐ  ＭＩＭＯ）方式が用いられる。閉ループＭＩＭＯ方式においてＭＩＭＯアンテナの多重化利得（ｍｕｌｔｉｐｌｅｘｉｎｇ  ｇａｉｎ）を得るために、送受信端はそれぞれチャネル情報（例えば、ＣＳＩ）に基づいてビームフォーミングを行うことができる。基地局はＣＳＩを得るためにＵＥにＰＵＣＣＨ（Ｐｈｙｓｉｃａｌ  Ｕｐｌｉｎｋ  Ｃｏｎｔｒｏｌ  ＣＨａｎｎｅｌ）又はＰＵＳＣＨ（Ｐｈｙｓｉｃａｌ  Ｕｐｌｉｎｋ  Ｓｈａｒｅｄ  ＣＨａｎｎｅｌ）を割り当て、下りリンクチャネルに対するＣＳＩをフィードバックするように命令することができる。
【０２５６】
ＣＳＩは、ランク指示子（ＲＩ：Ｒａｎｋ  Ｉｎｄｉｃａｔｏｒ）情報、プリコーディング行列インデックス（ＰＭＩ：Ｐｒｅｃｏｄｉｎｇ  Ｍａｔｒｉｘ  Ｉｎｄｅｘ）情報及びチャネル状態指示（ＣＱＩ：Ｃｈａｎｎｅｌ  Ｑｕａｌｉｔｙ  Ｉｎｄｉｃａｔｉｏｎ）情報を含む。ＲＩは、チャネルのランク情報を示すものであり、ＵＥが同一周波数時間リソースで受信するデータストリームの個数を意味する。ＲＩ値は、チャネルのロングタームフェーディング（ｌｏｎｇ  ｔｅｒｍ  ｆａｄｉｎｇ）によって優勢に（ｄｏｍｉｎａｎｔ）決定されるので、通常、ＰＭＩ及びＣＱＩ値に比べてより長い周期でＵＥから基地局にフィードバックされる。ＰＭＩは、チャネルの空間特性を反映した値である。ＰＭＩは、ＳＩＮＲなどのメトリック（ｍｅｔｒｉｃ）を基準に、ＵＥの好む基地局のプリコーディングインデックスを示す。ＣＱＩは、チャネルの強度を示す値であり、通常、基地局がＰＭＩを用いた時に得られる受信ＳＩＮＲを意味する。
【０２５７】
ＬＴＥ−Ａシステムのように一層進歩した通信システムでは、ＭＵ−ＭＩＭＯ（ｍｕｌｔｉ−ｕｓｅｒ  ＭＩＭＯ）を用いた追加の多重ユーザダイバーシチ（ｍｕｌｔｉ−ｕｓｅｒ  ｄｉｖｅｒｓｉｔｙ）を得る方式が追加された。そのために、チャネルフィードバック観点ではより高い正確性が要求される。これは、ＭＵ−ＭＩＭＯでは、アンテナドメイン（ｄｏｍａｉｎ）で多重化される端末間の干渉チャネル存在することから、フィードバックチャネルの正確性が、フィードバックを行った端末だけでなく、多重化される他の端末に対する干渉にも大きい影響を及ぼすからである。したがって、ＬＴＥ−Ａシステムではフィードバックチャネルの正確性を高めるために、最終ＰＭＩを、長期（ｌｏｎｇ−ｔｅｒｍ）及び／又は広帯域ＰＭＩであるＷ１と、短期（ｓｈｏｒｔ−ｔｅｒｍ）及び／又はサブバンドＰＭＩであるＷ２とに区別して設計することが決定された。
【０２５８】
基地局は、Ｗ１及びＷ２などの２種類のチャネル情報から一つの最終ＰＭＩを構成する階層的コードブック変換（ｈｉｅｒａｒｃｈｉｃａｌ  ｃｏｄｅｂｏｏｋ  ｔｒａｎｓｆｏｒｍａｔｉｏｎ）方式の一例として、次の式４のようにチャネルの長期共分散行列（ｌｏｎｇ−ｔｅｒｍ  ｃｏｖａｒｉａｎｃｅ  ｍａｔｒｉｘ）を用いてコードブックを変換することができる。
【０２５９】
【数４】
2018026865.tif 000053
【０２６０】
式４で、Ｗ１（すなわち、長期ＰＭＩ）及びＷ２（すなわち、短期ＰＭＩ）は、チャネル情報を反映するために生成されたコードブックのコードワードであり、Ｗは、変換された最終コードブックのコードワードを意味し、ｎｏｒｍ（Ａ）は、行列Ａの各カラム（ｃｏｌｕｍｎ）別の平均（ｎｏｒｍ）が１に正規化された行列を意味する。
【０２６１】
式４で、Ｗ１及びＷ２の構造は、次の式５のとおりである。
【０２６２】
【数５】
2018026865.tif 000054
【０２６３】
式５に示すＷ１、Ｗ２のコードワード構造は、交差偏光アンテナ（ｃｒｏｓｓ  ｐｏｌａｒｉｚｅｄ  ａｎｔｅｎｎａ）を使用し、アンテナ間の間隔がちゅう密な場合（例えば、通常、隣接アンテナ間の距離が信号波長の半分以下である場合に該当する。）に発生するチャネルの相関（ｃｏｒｒｅｌａｔｉｏｎ）特性を反映して設計された構造である。
【０２６４】
交差偏光アンテナの場合、アンテナを水平アンテナグループ（ｈｏｒｉｚｏｎｔａｌ  ａｎｔｅｎｎａ  ｇｒｏｕｐ）と垂直アンテナグループ（ｖｅｒｔｉｃａｌ  ａｎｔｅｎｎａ  ｇｒｏｕｐ）とに区別できる。このとき、各アンテナグループは、ＵＬＡ（ｕｎｉｆｏｒｍ  ｌｉｎｅａｒ  ａｒｒａｙ）アンテナの特性を有し、両アンテナグループはコロケートされている（ｃｏ−ｌｏｃａｔｅｄ）。したがって、各グループのアンテナ間の相関は、同じ線形位相増加（ｌｉｎｅａｒ  ｐｈａｓｅ  ｉｎｃｒｅｍｅｎｔ）特性を有し、アンテナグループ間の相関は、位相回転（ｐｈａｓｅ  ｒｏｔａｔｉｏｎ）した特性を有する。
【０２６５】
コードブックは結局としては無線チャネルを量子化（ｑｕａｎｔｉｚａｔｉｏｎ）した値であり、よって、コードブックはソースに該当するチャネルの特性をそのまま反映して設計されることが好ましい。式６は、説明の便宜のために、式４及び５の構造で作ったランク１コードワードの一例を示す。式６を参照すると、このようなチャネル特性が式４を満たすコードワードに反映されたことが確認できる。
【０２６６】
【数６】
2018026865.tif 000055
【０２６７】
式６で、コードワードはＮｔ（すなわち、送信器アンテナ数）×１のベクトルで表現される。このとき、式６は、上位ベクトル
【０２６８】
【化３２】
2018026865.tif 000056
【０２６９】
と下位ベクトル
【０２７０】
【化３３】
2018026865.tif 000057
【０２７１】
の２つで構造化されており、それぞれは、水平アンテナグループと垂直アンテナグループの相関特性を示す。ここで、
【０２７２】
【化３４】
2018026865.tif 000058
【０２７３】
は、各アンテナグループ間の相関特性を反映して線形位相増加を有するベクトルで表現されることが有利であり、代表例にＤＦＴ行列がある。
【０２７４】
また、ＣｏＭＰのためにも、より高いチャネル正確性が要求される。例えば、ＣｏＭＰ  ＪＴ（Ｊｏｉｎｔ  Ｔｒａｎｓｍｉｓｓｉｏｎ）の場合、複数の基地局が特定ＵＥに同一データを協調送信することから、理論的にアンテナが地理的に分散されているＭＩＭＯシステムと見なすことができる。すなわち、ＪＴにおいてＭＵ−ＭＩＭＯをする場合にも、単一セルＭＵ−ＭＩＭＯと同様に、共にスケジューリングされるＵＥ間干渉を避けるために、高いレベルのチャネル正確性が要求される。ＣｏＭＰ  ＣＢ（Ｃｏｏｒｄｉｎａｔｅｄ  Ｂｅａｍｆｏｒｍｉｎｇ）の場合も、隣接セルがサービングセルに与える干渉を回避するために、正確なチャネル情報が要求される。
【０２７５】
３．３  ＣＳＩ報告のための端末動作
ＣＱＩ、ＰＭＩ、プリコーディングタイプ指示子（ＰＴＩ：Ｐｒｅｃｏｄｉｎｇ  Ｔｙｐｅ  Ｉｎｄｉｃａｔｏｒ）及び／又はＲＩを含むＣＳＩを報告するために端末が使用する時間及び周波数リソースは、基地局によってスケジューリングされる。端末は、空間多重化（ＳＭ：Ｓｐａｔｉａｌ  Ｍｕｌｔｉｐｌｅｘｉｎｇ）に対して送信レイヤの個数に相応するＲＩを決定しなければならない。端末は、送信ダイバーシチに対してＲＩを１に設定する。
【０２７６】
送信モード８又は９の端末は、上位層パラメータｐｍｉ−ＲＩ−ＲｅｐｏｒｔによってＰＭＩ／ＲＩ報告を構成したり構成しない。仮に、サブフレーム集合ＣＣＳＩ，０及びＣＣＳＩ，１が上位層によって構成された端末は、リソース−制限されたＣＳＩ測定として構成される。
【０２７７】
端末に対して一つ以上のサービングセルが構成されると、端末は、活性化されたサービングセルに対してのみＣＳＩ報告を行う。端末がＰＵＳＣＨ及びＰＵＣＣＨ同時送信として構成されていないと、端末は、ＰＵＳＣＨの割り当てられていないサブフレームのＰＵＣＣＨ上で周期的にＣＳＩ報告を行う。端末がＰＵＳＣＨ及びＰＵＣＣＨ同時送信として構成されていないと、端末は、最も小さいサービングセルインデックス（ＳｅｒｖＣｅｌｌＩｎｄｅｘ）を有するサービングセルのＰＵＳＣＨが割り当てられたサブフレームで周期的なＣＳＩ報告を行う。このとき、端末は、ＰＵＳＣＨ上でＰＵＣＣＨベースの周期的ＣＳＩ報告フォーマットと同じフォーマットを用いる。既に設定された条件下で、端末は、ＰＵＳＣＨ上で非周期的ＣＳＩ報告を送信する。例えば、非周期的ＣＱＩ／ＰＭＩ報告に対して、構成されたＣＳＩフィードバックタイプがＲＩ報告を支援する場合にのみＲＩ報告が送信される。
【０２７８】
また、端末が周期的にＣＳＩ報告を行う場合にも、基地局からＣＳＩ要請フィールドが設定されたＵＬグラントを受信すると、端末は非周期的にＣＳＩ報告を行うことができる。
【０２７９】
３．３．１  ＰＵＳＣＨを用いた非周期的ＣＳＩ報告
端末は、サービングセルｃのサブフレームｎで、ＣＳＩ要請フィールドが設定された上りリンクＤＣＩフォーマット（すなわち、ＵＬグラント）又は任意接続応答グラントを受信すると、サブフレームｎ＋ｋでＰＵＳＣＨを用いて非周期的ＣＳＩ報告を行う。ＣＳＩ要請フィールドが１ビットであり、ＣＳＩ要請フィールドが‘１’に設定されると、サービングセルｃに対してＣＳＩ報告要請がトリガーされる。ＣＳＩ要請フィールドが２ビットであれば、次の表１７によってＣＳＩ報告要請がトリガーされる。
【０２８０】
【表１７】
2018026865.tif 000059
【０２８１】
表１７で、ＣＳＩ要請フィールドが‘００’に設定されると、非周期的ＣＳＩ報告がトリガーされないことを示し、‘０１’に設定されると、サービングセルｃに対する非周期的ＣＳＩ報告がトリガーされることを示し、‘１０’に設定されると、上位層によって構成されたサービングセルの第１集合に対して非周期的ＣＳＩ報告がトリガーされることを示し、‘１１’に設定されると、上位層によって構成されたサービングセルに対する第２集合に対して非周期的ＣＳＩ報告がトリガーされることを示す。
【０２８２】
端末には特定サブフレームで一つ以上の非周期的ＣＳＩ報告要請がなされない。
【０２８３】
次の表１８には、ＰＵＳＣＨでＣＳＩを送信する時の報告モードを示す。
【０２８４】
【表１８】
2018026865.tif 000060
【０２８５】
表１８における送信モードは、上位層で選択され、ＣＱＩ／ＰＭＩ／ＲＩはいずれも同一のＰＵＳＣＨサブフレームに送信される。以下では、各報告モードについて詳しく説明する。
【０２８６】
１−１）モード１−２
端末は、それぞれのサブバンドに対して、データがサブバンドでのみ送信されるとの仮定下に、プリコーディング行列を選択する。端末は、システム帯域又は上位層で指定した帯域（ｓｅｔ  Ｓ）の全体に対して、前に選択したプリコーディング行列を仮定してＣＱＩを生成する。また、端末は、ＣＱＩと各サブバンドのＰＭＩ値を送信する。このとき、各サブバンドのサイズはシステム帯域のサイズによって変更されてもよい。
【０２８７】
１−２）モード２−０
端末は、システム帯域又は上位層で指定した帯域（ｓｅｔ  Ｓ）に対して、好むＭ個のサブバンドを選択する。端末は、選択されたＭ個のサブバンドに対してデータを送信するとの仮定下に、一つのＣＱＩ値を生成する。端末は、追加としてシステム帯域又はｓｅｔ  Ｓに対して一つのＣＱＩ（ｗｉｄｅｂａｎｄ  ＣＱＩ）値を生成する。選択されたＭ個のサブバンドに対して複数個のコードワードがある場合、各コードワードに対するＣＱＩ値は差分形式で定義する。このとき、差分ＣＱＩ（Ｄｉｆｆｅｒｅｎｔｉａｌ  ＣＱＩ）は、選択されたＭ個のサブバンドに対するＣＱＩ値に該当するインデックスから広帯域ＣＱＩインデックス（ｗｉｄｅｂａｎｄ  ＣＱＩ  ｉｎｄｅｘ）を引いた値に設定される。
【０２８８】
端末は、選択されたＭ個のサブバンドの位置に関する情報、選択されたＭ個のサブバンドに対する一つのＣＱＩ値、全帯域又はｓｅｔ  Ｓに対して生成されたＣＱＩ値を送信する。このとき、サブバンドのサイズ及びＭ値は、システム帯域のサイズによって変更されてもよい。
【０２８９】
１−３）モード２−２
端末は、Ｍ個の好むサブバンドでデータを送信するという仮定の下に、Ｍ個の選好サブバンドの位置と、Ｍ個の選好サブバンドに対する単一プリコーディング行列を同時に選択する。この時、Ｍ個の選好サブバンドに対するＣＱＩ値はコードワードごとに定義される。
【０２９０】
端末は、追加としてシステム帯域又はｓｅｔ  Ｓに対して広帯域ＣＱＩ値を生成する。
【０２９１】
端末は、Ｍ個の好むサブバンドの位置に関する情報、選択したＭ個のサブバンドに対する一つのＣＱＩ値、Ｍ個の好むサブバンドに対する単一プリコーディング行列インデックス、広帯域プリコーディング行列インデックス、広帯域ＣＱＩ値を送信する。この時、サブバンドサイズ及びＭ値は、システム帯域のサイズによって変更されてもよい。
【０２９２】
１−４）モード３−０
端末は、広帯域ＣＱＩ値を生成及び報告する。
【０２９３】
端末は、各サブバンドでデータを送信するという仮定の下に、各サブバンドに対するＣＱＩ値を生成する。この時、ＲＩ＞１であっても、ＣＱＩ値は、最初のコードワードに対するＣＱＩ値のみを示す。
【０２９４】
１−５）モード３−１
端末は、システム帯域又はｓｅｔ  Ｓに対して単一プリコーディング行列を生成する。
【０２９５】
端末は、各サブバンドに対して、前に生成した単一プリコーディング行列を仮定して、コードワード別にサブバンドＣＱＩを生成する。
【０２９６】
端末は、単一プリコーディング行列を仮定して広帯域ＣＱＩを生成する。この時、各サブバンドのＣＱＩ値は差分形式で表現される。例えば、サブバンドＣＱＩ値は、サブバンドＣＱＩインデックスから広帯域ＣＱＩインデックスを引いた値と定義される（Ｓｕｂｂａｎｄ  ＣＱＩ＝ｓｕｂｂａｎｄ  ＣＱＩ  ｉｎｄｅｘ−ｗｉｄｅｂａｎｄ  ＣＱＩ  ｉｎｄｅｘ）。また、サブバンドのサイズは、システム帯域のサイズによって変更されてもよい。
【０２９７】
４．  ＭＴＣ端末のＣＳＩフィードバック方法
４．１  ＭＴＣ端末
機械タイプ通信（ＭＴＣ：Ｍａｃｈｉｎｅ  ｔｙｐｅ  ｃｏｍｍｕｎｉｃａｔｉｏｎ）とは人の介入なしで機械が通信を行うことを意味する。このようなＭＴＣはサービス及びこれによる端末機の多様化をきたすことができる。現在、最も有力なＭＴＣサービス分野はスマートメータリング（ｓｍａｒｔ  ｍｅｔｅｒｉｎｇ）である。スマートメータリングに使われるスマートメーター（Ｓｍａｒｔ  ｍｅｔｅｒ）は電気、水道、ガスなどの使用量を計測する測定装置であるとともに多くの関連情報を通信ネットワークを介して送信する送信装置でもある。
【０２９８】
例えば、スマートメーターは、電気、水道、ガスの使用量を定期的に又は非定期的に管理センターに通信ネットワークを介して送信する。この際、通信ネットワークはセルラーネットワーク（ｃｅｌｌｕｌａｒ  ｎｅｔｗｏｒｋ）のような許可帯域（ｌｉｃｅｎｓｅｄ  ｂａｎｄ）を用いることも、ワイファイネットワーク（ｗｉ−ｆｉ  ｎｅｔｗｏｒｋ）のような非許可帯域（ｕｎｌｉｃｅｎｓｅｄ  ｂａｎｄ）を用いることもできる。本発明は、セルラーネットワークの一つであるＬＴＥネットワークを用いたＭＴＣ通信を考慮する。
【０２９９】
スマートメータリングの代表的な例として、ＭＴＣサービスの場合、ＭＴＣ端末は定期的に基地局にデータを送信しなければならない。データを送信する周期はサービス提供者の設定によって違うが、かなり長い周期を有すると仮定する。一般に、ＭＴＣ端末は相対的に簡単な機能のみを行う場合が多いから、経済的に具現する必要がある。
【０３００】
したがって、システム帯域幅にかかわらず、ＭＴＣ端末で受信可能な帯域幅を制限することにより、ＭＴＣ端末内のバッファー及びデコーディング複雑度を減らすことができる。本発明は、端末の受信可能な帯域幅を制限する場合のＣＳＩフィードバック方法を提案する。
【０３０１】
以下で説明するＭＴＣ端末は低費用及び低電力端末機であり、説明の便宜のために簡略に  「端末」と呼ぶことにする。すなわち、本発明の実施例において、他に限定がない限り、端末は低費用ＭＴＣ端末を意味する。また、レガシーシステムで支援する帯域幅はレガシー帯域幅（又は、第１帯域幅）と呼び、ＭＴＣ端末に対して割り当てられる制限された大きさの帯域幅はＭＴＣ帯域幅（又は、第２帯域幅）と呼ぶことができる。
【０３０２】
４．２  低費用ＭＴＣ端末に対する帯域幅制限方法
端末が受信可能な帯域幅を制限する方法としては二つを考慮することができる。第１方法は、システム帯域幅の制限された周波数領域を上位階層信号（ＲＲＣ）又はＳＩＢｘメッセージなどを用いて半静的に端末に割り当てる方法である。第２方法は、端末が用いることができる帯域幅をＰＤＣＣＨ／ＥＰＤＣＣＨを介した制御情報で指定する方法であり、リソース割り当ての際、端末に割り当てられるＲＢの数を制限する方法である。
【０３０３】
４．３  端末に対する帯域幅を半静的に制限する場合のＣＳＩフィードバック方法
以下では前述した第１方法として、システム帯域幅内の特定周波数領域を半静的（ｓｅｍｉ−ｓｔａｔｉｃ）に割り当てる方法について説明する。
【０３０４】
特定の周波数領域はＳＩＢ（Ｓｙｓｔｅｍ  Ｉｎｆｏｒｍａｔｉｏｎ  Ｂｌｏｃｋ）などのシステム情報に割り当てられることができる。低費用ＭＴＣ端末が使うデータの大きさは、スマートメータリングのような応用サービスを考慮すれば、非常に小さいと予想することができる。したがって、端末が送受信に使うことができる帯域幅に対するＲＢの数を制限することができる。例えば、ＬＴＥ／ＬＴＥ−Ａシステムのようなレガシーシステムにおいては、レガシー帯域幅が１１０ＲＢまで構成されることができる。しかし、ＭＴＣ端末は所定領域（例えば、６ＲＢ前後）にＭＴＣ帯域幅を制限するように設定されることができる。
【０３０５】
本発明の一態様として、低費用ＭＴＣ端末が受信することができるＲＢ数がレガシー端末に比べて非常に小さく制限されるので、端末はワイドバンドＣＱＩ（Ｗ−ＣＱＩ：Ｗｉｄｅ  Ｂａｎｄ  ＣＱＩ）／ワイドバンドＰＭＴ（Ｗ−ＰＭＩ：Ｗｉｄｅ  ｂａｎｄ  ＰＭＩ）に対してのみＣＳＩフィードバックを遂行し、サブバンドＣＱＩ（ｓｕｂｂａｎｄ  ＣＱＩ）／サブバンドＰＭＩ（ｓｕｂｂａｎｄ  ＰＭＩ）は支援しないように構成されることができる。
【０３０６】
この際、ＭＴＣ端末が送信するＷ−ＣＱＩ／Ｗ−ＰＭＩ、Ｓ−ＣＱＩ／Ｓ−ＰＭＩの概念はレガシーシステムのＷ−ＣＱＩ／Ｗ−ＰＭＩ、Ｓ−ＣＱＩ／Ｓ−ＰＭＩとは違う。例えば、ＭＴＣ端末が送信するＷ−ＣＱＩ／Ｗ−ＰＭＩは無線接続システムで支援するレガシー帯域幅の全帯域に対するものではなく、ＳＩＢなどの端末に半静的に割り当てられる制限されたＭＴＣ帯域幅に対する全帯域に対するＣＱＩ／ＰＭＩを意味する。以下では、レガシーシステムで使われるＷ−ＣＱＩ／Ｗ−ＰＭＩをレガシーＷ−ＣＱＩ／レガシーＷ−ＰＭＩ又は第１Ｗ−ＣＱＩ／第１Ｗ−ＰＭＩと呼び、ＭＴＣ端末に対するＷ−ＣＱＩ／Ｗ−ＰＭＩをＭＴＣ  Ｗ−ＣＱＩ／ＭＴＣ  Ｗ−ＰＭＩ又は第２Ｗ−ＣＱＩ／第２ＰＭＩと呼ぶことにする。例えば、ＭＴＣ  Ｗ−ＰＭＩの場合は６ＲＢが全帯域になるが、レガシーＷ−ＰＭＩの場合は１１０ＲＢまで全帯域に設定されることができる。
【０３０７】
低費用ＭＴＣ端末は多数のアンテナを含みにくいため、空間多重化（ＳＭ：Ｓｐａｔｉａｌ  Ｍｕｌｔｉｐｌｅｘｉｎｇ）を支援しないことが好ましい。したがって、ＣＳＩに含まれるＷ−ＰＭＩはランク１に相当するＰＭＩに限定することが好ましい。
【０３０８】
以下では半静的に端末に対する帯域幅を制限する場合に対する非周期的ＣＳＩフィードバック方法及び周期的ＣＳＩフィードバック方法について説明する。
【０３０９】
４．３．１  非周期的ＣＳＩフィードバック方法−１
レガシーシステムにおいて、システム帯域幅が７ＲＢ以下の場合には、非周期的ＣＳＩフィードバックが支援されない。しかし、ＭＴＣを支援するシステムにおいては、システム帯域幅そのものは７ＲＢ以上であり得るが、ＭＴＣ端末に制限された帯域幅が７ＲＢ以下の場合にも非周期的ＣＳＩフィードバックを支援するように設定することができる。なぜなら、低費用ＭＴＣ端末は周期的にデータを送信し、残りの時間の間には遊休モード（ｉｄｌｅ  ｍｏｄｅ）で動作して消費電力を最少化することが好ましいため、基地局が必要な場合にのみＣＳＩフィードバックを要求する非周期的ＣＳＩフィードバックの利点がある。
【０３１０】
表１８を参照すると、レガシーシステムで送信される非周期的ＣＳＩフィードバックにおいては、端末選択的サブバンドＣＱＩ（ＵＥ  ｓｅｌｅｃｔｅｄ  ｓｕｂｂａｎｄ  ＣＱＩ）であるｍｏｄｅ  ２−０と上位階層構成サブバンドＣＱＩ（Ｈｉｇｈｅｒ  Ｌａｙｅｒ  ｃｏｎｆｉｇｕｒｅｄ  ｓｕｂｂａｎｄ  ＣＱＩ）であるｍｏｄｅ  ３−０及びｍｏｄｅ  ３−１を支援することができる。しかし、低費用ＭＴＣ端末はサブバンドＣＱＩを支援しないことが好ましいので、システム帯域幅に構わずに指定された制限周波数領域に対するＭＴＣ  Ｗ−ＣＱＩ／ＭＴＣ  Ｗ−ＰＭＩを送信するように構成されることができる。
【０３１１】
すなわち、低費用ＭＴＣ端末は全体システム帯域幅に対するレガシーＷ−ＣＱＩ、低費用ＭＴＣ端末に割り当てられた制限帯域幅に対するＭＴＣ  Ｗ−ＣＱＩ及び必要な場合にＭＴＣ  Ｗ−ＰＭＩを含むＣＳＩを基地局に送信することができる。
【０３１２】
ＭＴＣ端末が端末選択的モード（例えば、ｍｏｄｅ  ２−０、ｍｏｄｅ  ２−２）及び上位階層構成モード（例えば、ｍｏｄｅ  ３−０、ｍｏｄｅ  ３−１）に対してサブバンドＣＱＩを基地局に報告しないように設定されるかあるいは該当のモードを全く支援しないように設定される場合、ＭＴＣ端末はサブバンドの位置を指示するラベル（ｌａｂｅｌ）情報及び差分ＣＱＩについての情報を送信する必要がない。したがって、低費用ＭＴＣ端末が送信すべきＣＳＩのフィードバックオーバーヘッドが減ることができる。また、低費用ＭＴＣ端末の場合、制限された数のＲＢに対する第２Ｗ−ＣＱＩは全システム帯域幅に対する第１Ｗ−ＣＱＩに対する差分ＣＱＩ（ｄｉｆｆｅｒｅｎｔｉａｌ  ＣＱＩ）値に定義することにより、フィードバックオーバーヘッドを一層減らすことができる。
【０３１３】
４．３．２  非周期的ＣＳＩフィードバック方法−２
４．３．１節とは違う方法であって、低費用ＭＴＣ端末にサブバンドＣＱＩフィードバックを支援するように構成することができる。この際、サブバンドの大きさをシステム帯域幅ではない低費用ＭＴＣ端末に受信するように設定した制限されたＲＢの数をシステム帯域幅と仮定してサブバンドの大きさを設定することができる。
【０３１４】
次の表１９は低費用ＭＴＣ端末に新たに構成される上位階層で構成されたサブバンドＣＱＩフィードバックモード（ｍｏｄｅ  ３−０、ｍｏｄｅ  ３−１）に対するサブバンドの大きさの一例を示す。
【０３１５】
【表１９】
2018026865.tif 000061
【０３１６】
次の表２０は低費用ＭＴＣ端末に新たに構成される端末選択サブバンドＣＱＩフィードバックモード（ｍｏｄｅ  ２−０、ｍｏｄｅ  ２−２）に対するサブバンドの大きさの一例を示す。
【０３１７】
【表２０】
2018026865.tif 000062
【０３１８】
表１９及び表２０において、ＭＴＣ端末に割り当てられる制限されたシステム帯域幅がサブバンドの大きさに定義されることができる。すなわち、４．３．１節では低費用ＭＴＣ端末にサブバンドＣＱＩを構成しない場合の非周期的ＣＳＩフィードバック方法について説明したものであり、４．３．２節ではＭＴＣ端末に対する帯域幅内でサブバンドＣＱＩを支援する場合について説明したものである。
【０３１９】
４．３．２節で端末に割り当てられた制限された数のＲＢを割り当てるとき、サブバンドの開始点とＭＴＣ端末の帯域幅（すなわち、端末に割り当てられた制限された数のＲＢ）の開始点を整列させることが好ましい。すなわち、サブバンドの開始点をいつも端末に割り当てられた制限された数のＲＢの開始点と一致させれば、サブバンドの境界と端末に割り当てられた制限された数のＲＢの境界がいつも一致するようになる。そうではなければ、サブバンドと端末に割り当てられた制限された数のＲＢ領域の境界が一致しないので、サブバンドの中間地点からＭＴＣ端末の帯域幅が割り当てられることができる。このような場合、ＭＴＣ端末はサブバンドＣＱＩを計算するとか送信するとき、二度作業を遂行しなければならないため、端末の複雑度及び計算に対する負担が増加することができる。
【０３２０】
４．３．３  周期的ＣＳＩフィードバック方法
表１６を参照すると、レガシーシステムで使われる周期的ＣＳＩフィードバック方式の場合には、レガシーＷ−ＣＱＩ及びサブバンドＣＱＩを送信することができる。
【０３２１】
ただ、本発明の実施例においては、ＭＴＣ端末の場合、周期的ＣＳＩフィードバックにおいて全システム帯域幅に対するレガシーＷ−ＣＱＩ及びＭＴＣ端末に割り当てられた制限された数のＲＢに対するＭＴＣ  Ｗ−ＣＱＩ及び必要な場合にＭＴＣ  Ｗ−ＰＭＩをさらに送信するように構成することができる。この際、ＭＴＣ  Ｗ−ＣＱＩは全システム帯域幅に対するレガシーＷ−ＣＱＩとの差分ＣＱＩに定義されることができる。よって、ＭＴＣ端末がレガシーＷ−ＣＱＩ（すなわち、第１Ｗ−ＣＱＩ）及びＭＴＣ  Ｗ−ＣＱＩ（すなわち、第２Ｗ−ＣＱＩ）を送信してもフィードバックオーバーヘッドを減らすことができる。このような場合、ＭＴＣ端末はサブバンドＣＱＩは送信しないように構成されることができる。
【０３２２】
あるいは、ＭＴＣ端末は、周期的にＣＳＩフィードバックを行う場合、ＭＴＣ端末に限定して割り当てられた帯域幅に対するＭＴＣ  Ｗ−ＣＱＩのみを基地局にフィードバックすることができる。
【０３２３】
本発明の他の態様において、ＭＴＥ端末は４．３．１節のようにシステム帯域幅が７ＲＢ以下でも周期的ＣＳＩ報告モードであるｍｏｄｅ  ２−０、ｍｏｄｅ  ２−１を支援することができる。この際、サブバンドの大きさ及び帯域幅部分（ＢＴ：Ｂａｎｄｗｉｄｔｈ  Ｐａｒｔ）の数はシステム帯域幅ではない低費用ＭＴＣ端末に割り当てることができる制限されたＲＢの数によって決定されることができる。すなわち、ＭＴＣ端末は、レガシーＭＴＣ  Ｗ−ＣＱＩ以外にＭＴＣ端末に割り当てられた制限帯域幅をサブバンドＣＱＩとして基地局に報告することができる。
【０３２４】
次の表２１は周期的ＣＳＩフィードバックでＵＥ選択的サブバンドＣＱＩフィードバックを支援する場合、サブバンドの大きさ及びＢＴ数の一実施例を示す。
【０３２５】
【表２１】
2018026865.tif 000063
【０３２６】
図１７は４．３節で説明した方法を実施する過程を示す図である。
【０３２７】
図１７を参照すると、ＭＴＣ端末（ＵＥ）は基地局が含まれたサービングセルからＭＴＣ端末に割り当てられた制限された大きさのシステム帯域幅をＳＩＢｘメッセージを介して割り当てられることができる（Ｓ１７１０）。
【０３２８】
すなわち、ＭＴＣ端末は、Ｓ１７１０段階で半静的にＭＴＣ動作のためのシステム帯域幅を割り当てられ、該当の帯域幅内でＰＤＳＣＨ、ＰＵＳＣＨなどを送受信することができる。
本発明の他の態様として、Ｓ１７１０段階は遂行しないこともできる。例えば、システム上でＭＴＣ端末が使える制限されたシステム帯域幅は予め設定されていることができる。この場合、ＭＴＣ端末は該当の制限されたシステム帯域幅のみをデコードすることができる。
【０３２９】
また、ＭＴＣ端末は限定された大きさのシステム帯域幅（ＲＢ単位）を割り当てられた場合、レガシーＷ−ＣＱＩ、ＭＴＣ  Ｗ−ＣＱＩ及びＭＴＣ  Ｗ−ＰＭＩの一つ以上を含むＣＳＩを計算することができる（Ｓ１７２０）。
【０３３０】
あるいは、ＭＴＣ端末に限定された大きさの帯域幅が割り当てられた場合にもサブバンドが用いられることができる。例えば、Ｓ１７１０段階で、ＳＩＢｘメッセージを介してＭＴＣ端末はＭＴＣ用途に設定されたサブバンド帯域を割り当てられることができる。このような場合、ＭＴＣ端末はＳ１７２０段階でレガシーＷ−ＣＱＩ及びサブバンドＣＱＩを計算することができる。この場合、サブバンドＣＱＩを計算するためのサブバンドの大きさ、Ｍ及びＢＴなどの情報は表１９、２０及び２１などを参照することができる。
【０３３１】
その後、ＭＴＣ端末はＳ１７２０段階で計算したＭＴＣ  Ｗ−ＣＱＩ又はサブバンドＣＱＩを基地局に周期的又は非周期的方式で報告することができる（Ｓ１７３０）。
【０３３２】
Ｓ１７３０段階で用いられる周期的又は非周期的ＣＳＩ報告方式は３節及び４．３節で説明した内容を参照することができる。
【０３３３】
４．４  端末に対する帯域幅を動的に制限する場合のＣＳＩフィードバック方法
以下では、基地局がＭＴＣ端末に対してシステム帯域幅内の特定周波数領域を制御チャネルなどを介して動的に割り当てる方法について説明する。
【０３３４】
４．４．１  非周期的ＣＳＩフィードバック方法
本発明の一態様において、ＭＴＣ端末はレガシーＣＳＩ報告モードを最大限用いるように設定されることができる。ただ、ＭＴＣ端末に割り当てられる制限された数のＲＢに対してＭＴＣ  Ｗ−ＣＱＩ／ＭＴＣ  Ｗ−ＰＭＩ（必要な場合）のみを送信するように構成することができる。
【０３３５】
例えば、ＭＴＣ端末に対する帯域幅がＰＤＣＣＨ又はＥＰＤＣＣＨなどを介して動的に割り当てられる場合、ＭＴＣ端末は該当のＰＤＣＣＨ又はＥＰＤＣＣＨを介して非周期的ＣＳＩフィードバック要求を受けることができる。この際、ＭＴＣ端末はレガシーＷ−ＣＱＩ及びＰＤＣＣＨなどを介して割り当てられた制限された帯域幅に対するＭＴＣ  Ｗ−ＣＱＩを基地局に非周期的に報告することができる。
【０３３６】
本発明の他の態様において、上位階層構成モード（Ｈｉｇｈｅｒ  ｌａｙｅｒ  ｃｏｎｆｉｇｕｒｅｄ  ｍｏｄｅ）であるｍｏｄｅ  ３−０及びｍｏｄｅ  ３−１の場合、サブバンドの大きさをシステム帯域幅にかかわらず、ＭＴＣ端末のために制限されたＲＢの数に限定することができる。例えば、ＵＥ選択モードであるｍｏｄｅ  ２−０の場合はＭ＝１に設定し、サブバンドの大きさもＭＴＣ端末に割り当てられるシステム帯域幅にかかわらず、制限されたＲＢ数に設定することができる。
【０３３７】
すなわち、基地局はＭＴＣ端末に対する帯域幅をＰＤＣＣＨ又はＥＰＤＣＣＨを介して動的に割り当てることができる。この際、ＭＴＣ端末に割り当てられる帯域幅はサブバンド帯域幅としてシステム帯域幅にかかわらず、制限されたＲＢ数であり得る。ＭＴＣ端末が非周期的ＣＳＩフィードバックの要求を受けた場合、レガシーＷ−ＣＱＩ及び割り当てられたサブバンドに対するサブバンドＣＱＩを基地局に報告することができる。
【０３３８】
４．４．２  周期的ＣＳＩフィードバック方法
以下で説明する本発明の実施例は、ＵＥ選択的モードであるｍｏｄｅ  ２−０、ｍｏｄｅ  ２−１に対してサブバンドの大きさをシステム帯域幅にかかわらず、制限されたＲＢに設定する方法に関するものである。例えば、帯域幅部分（ＢＴ）を、システム帯域幅を制限されたＲＢ数で分けた値に相当する値に設定することにより、端末にはいつも制限された数のＲＢが割り当てられる。すなわち、ＭＴＣ端末は、ＵＥ選択的モードで基地局から動的に割り当てられたサブバンド帯域に対するＣＱＩ値をＣＳＩ報告周期で送信ことができる。例えば、システム帯域幅が５０ＲＢであり、端末に割り当てられる制限されたＲＢの数が６ＲＢであれば、ＢＴは９に設定されることができる。したがって、端末は報告周期ごとに６ＲＢに対するＣＱＩ値を送信することができる。
【０３３９】
図１８は４．４節で説明した方法を実施する過程を示す図である。
【０３４０】
図１８を参照すると、ＭＴＣ端末（ＵＥ）は、基地局が含まれたサービングセルから制限された大きさのシステム帯域幅をＰＤＣＣＨ及び／又はＥＰＤＣＣＨを介して毎サブフレームで動的に割り当てられることができる（Ｓ１８１０）。
【０３４１】
すなわち、ＭＴＣ端末は、Ｓ１８１０段階で動的にＭＴＣ動作のためのシステム帯域幅を割り当てられた場合、該当の帯域幅内でＰＤＳＣＨ又はＰＵＳＣＨなどを送受信することができる。
【０３４２】
また、ＭＴＣ端末は限定された大きさのシステム帯域幅（ＲＢ単位）を割り当てられた場合、レガシーＷ−ＣＱＩ、ＭＴＣ  Ｗ−ＣＱＩ及びＭＴＣ  Ｗ−ＰＭＩの一つ以上を含むＣＳＩを計算することができる（Ｓ１８２０）。
【０３４３】
あるいは、ＭＴＣ端末に限定された大きさの帯域幅が割り当てられた場合にもサブバンドが用いられることができる。例えば、Ｓ１８１０段階で、ＳＩＢｘメッセージを介して、ＭＴＣ端末はＭＴＣ用途に設定されたサブバンド帯域を割り当てられることができる。このような場合、ＭＴＣ端末はＳ１８２０段階でレガシーＷ−ＣＱＩ及びサブバンドＣＱＩを計算することができる。
【０３４４】
その後、ＭＴＣ端末は、Ｓ１８２０段階で計算したＭＴＣ  Ｗ−ＣＱＩ又はサブバンドＣＱＩを基地局に周期的又は非周期的方式で報告することができる（Ｓ１８３０）。
【０３４５】
Ｓ１８３０段階で用いられる周期的又は非周期的ＣＳＩ報告方式は３節及び４．３節で説明した内容を参照することができる。
【０３４６】
５．具現装置
図１９で説明する装置は、図１乃至図１８で説明した方法を具現し得る手段である。
【０３４７】
端末（ＵＥ：Ｕｓｅｒ  Ｅｑｕｉｐｍｅｎｔ）は、上りリンクでは送信端として動作し、下りリンクでは受信端として動作することができる。また、基地局（ｅＮＢ：ｅ−Ｎｏｄｅ  Ｂ）は、上りリンクでは受信端として動作し、下りリンクでは送信端として動作することができる。
【０３４８】
すなわち、端末及び基地局は、情報、データ及び／又はメッセージの送信及び受信を制御するために、それぞれ、送信器（ｔｒａｎｓｍｉｔｔｅｒ）１９４０，１９５０及び受信器（Ｒｘ  ｍｏｄｕｌｅ）１９５０，１９７０を備えることができ、情報、データ及び／又はメッセージを送受信するための一つ以上のアンテナ１９００，１９１０などを有することができる。
【０３４９】
また、端末及び基地局はそれぞれ、上述した本発明の実施例を実行するためのプロセッサ（Ｐｒｏｃｅｓｓｏｒ）１９２０，１９３０、及びプロセッサの処理過程を臨時的に又は持続的に記憶し得るメモリ１９８０，１９９０を備えることができる。
【０３５０】
前述した端末及び基地局装置の構成成分及び機能を用いて本発明の実施例を遂行することができる。例えば、基地局のプロセッサは前述した１節〜４節に開示した方法を組み合わせて、ＭＴＣ端末にＭＴＣ動作のために限定された大きさのシステム帯域幅を割り当てることができる。この際、限定された大きさのシステム帯域幅は、一般端末、つまりレガシー端末のためのレガシーシステム帯域幅とは別個に割当及び運用されることができる。ＭＴＣ端末に限定された大きさのシステム帯域幅を割り当てる過程は半静的又は動的に遂行されることができ、具体的な内容は４節を参照することができる。また、ＭＴＣ端末のプロセッサは前述した１節〜４節の内容を組み合わせて、ＭＴＣ端末に割り当てられた限定された大きさのＭＴＣシステム帯域幅に対するＭＴＣ  Ｗ−ＣＱＩを計算することができる。この際、ＭＴＣ端末はＰＤＣＣＨに対するリンク適用のためにレガシーＷ−ＣＱＩを計算してＭＴＣ  Ｗ−ＣＱＩと一緒に基地局に報告することができる。詳細な内容は４節を参照することができる。ＭＴＣ端末及び基地局のプロセッサはこのような動作を支援するために送信機及び受信機を用いることができる。
【０３５１】
端末及び基地局に含まれた送信モジュール及び受信モジュールは、データ送信のためのパケット変復調機能、高速パケットチャネルコーディング機能、直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及び／又はチャネル多重化機能を実行することができる。また、図１９の端末及び基地局は、低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）モジュールをさらに備えることができる。
【０３５２】
一方、本発明で端末として、個人携帯端末機（ＰＤＡ：Ｐｅｒｓｏｎａｌ  Ｄｉｇｉｔａｌ  Ａｓｓｉｓｔａｎｔ）、セルラーフォン、個人通信サービス（ＰＣＳ：Ｐｅｒｓｏｎａｌ  Ｃｏｍｍｕｎｉｃａｔｉｏｎ  Ｓｅｒｖｉｃｅ）フォン、ＧＳＭ（登録商標）（Ｇｌｏｂａｌ  Ｓｙｓｔｅｍ  ｆｏｒ  Ｍｏｂｉｌｅ）フォン、ＷＣＤＭＡ（登録商標）（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォン、ハンドヘルドＰＣ（Ｈａｎｄ−Ｈｅｌｄ  ＰＣ）、ノートパソコン、スマート（Ｓｍａｒｔ）フォン、又はマルチモードマルチバンド（ＭＭ−ＭＢ：Ｍｕｌｔｉ  Ｍｏｄｅ−Ｍｕｌｔｉ  Ｂａｎｄ）端末機などを用いることができる。
【０３５３】
ここで、スマートフォンは、移動通信器末機と個人携帯端末機の長所を組み合わせた端末機であって、移動通信器末機に、個人携帯端末機の機能である日程管理、ファックス送受信及びインターネット接続などのデータ通信機能を統合した端末機を意味できる。また、マルチモードマルチバンド端末機は、マルチモデムチップを内蔵し、携帯インターネットシステムでも、その他の移動通信システム（例えば、ＣＤＭＡ２０００システム、ＷＣＤＭＡ（登録商標）システムなど）でも作動できる端末機のことを指す。
【０３５４】
本発明の実施例は、様々な手段によって具現することができる。例えば、本発明の実施例は、ハードウェア、ファームウェア（ｆｉｒｍｗａｒｅ）、ソフトウェア又はそれらの結合などによって具現することができる。
【０３５５】
ハードウェアによる具現の場合、本発明の実施例に係る方法は、１つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０３５６】
ファームウェアやソフトウェアによる具現の場合、本発明の実施例に係る方法は、以上で説明された機能又は動作を実行するモジュール、手順又は関数などの形態として具現することもできる。例えば、ソフトウェアコードは、メモリユニット１９８０，１９９０に記憶され、プロセッサ１９２０，１９３０によって駆動されてもよい。メモリユニットは、プロセッサの内部又は外部に設けられ、公知の種々の手段によってプロセッサとデータを交換することができる。
【０３５７】
本発明は、本発明の精神及び必須特徴から逸脱しない範囲で他の特定の形態として具体化されてもよい。したがって、上記の詳細な説明は、いずれの面においても制約的に解釈されてはならず、例示的なものとして考慮されなければならない。本発明の範囲は、添付した請求項の合理的解釈によって決定されなければならず、本発明の等価的範囲における変更はいずれも本発明の範囲に含まれる。また、特許請求の範囲で明示的な引用関係にない請求項を結合して実施例を構成してもよく、出願後の補正によって新しい請求項として含めてもよい。
【産業上の利用可能性】
【０３５８】
本発明の実施例は、様々な無線接続システムに適用可能である。様々な無線接続システムの一例として、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２及び／又はＩＥＥＥ  ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の実施例は、上記の様々な無線接続システムだけでなく、これら様々な無線接続システムを応用したいずれの技術分野にも適用可能である。
【図１】
2018026865.tif 000064
【図２】
2018026865.tif 000065
【図３】
2018026865.tif 000066
【図４】
2018026865.tif 000067
【図５】
2018026865.tif 000068
【図６】
2018026865.tif 000069
【図７】
2018026865.tif 000070
【図８】
2018026865.tif 000071
【図９】
2018026865.tif 000072
【図１０】
2018026865.tif 000073
【図１１】
2018026865.tif 000074
【図１２】
2018026865.tif 000075
【図１３】
2018026865.tif 000076
【図１４】
2018026865.tif 000077
【図１５】
2018026865.tif 000078
【図１６】
2018026865.tif 000079
【図１７】
2018026865.tif 000080
【図１８】
2018026865.tif 000081
【図１９】
2018026865.tif 000082